(57)【要約】ＣＳＧ  ＩＤの指示方法、基地局タイプの指示方法及びＣＳＧ  ＩＤ指示の取得方法を提供する。この方策は、端末が基地局がＣＳＧ  ＩＤがあるかどうか及び具体的な基地局タイプを取得できないことによるアクセス時間遅延の問題を解決し、端末でのメンテナンスが必要なアクセス基地局情報の取り扱いやすさを保証して、システム全体の端末に対するサービス品質を向上させた。【選択図】図２
2013516861.tif 000002
【特許請求の範囲】
【請求項１】
基地局が、端末へ、ＣＳＧ  ＩＤがあるかどうかを通知することを備えることを特徴とする、限定加入者グループ識別子ＣＳＧ  ＩＤを指示する方法。
【請求項２】
前記基地局は、マクロ基地局、マイクロ基地局、ピコ基地局、フェムト基地局の一つを含むことを特徴とする、請求項１に記載の方法。
【請求項３】
前記基地局が、端末へ、ＣＳＧ  ＩＤがあるかどうかを通知することは、
前記基地局が、端末へ、ＣＳＧ  ＩＤがあるかどうかを、同期シーケンス、セル識別子、搬送周波数、制御シグナルの一つによって通知することを含むことを特徴とする請求項１に記載の方法。
【請求項４】
前記基地局が、端末へ、ＣＳＧ  ＩＤがあるかどうかを通知することは、
前記基地局が、前記端末へ、ＣＳＧ  ＩＤがあるかどうかを指示する指示情報に対応する同期シーケンスを、予め設定された同期シーケンスと、ＣＳＧ  ＩＤがあるかどうかを指示する指示情報の対応関係に基づいて送信することを含むことを特徴とする請求項１に記載の方法。
【請求項５】
前記基地局が、端末へ、ＣＳＧ  ＩＤがあるかどうかを通知することは、
前記基地局が、ＣＳＧ  ＩＤがあるかどうかを指示する指示情報に対応するセル識別子を、予め設定されたセル識別子と、ＣＳＧ  ＩＤがあるかどうかを指示する指示情報の対応関係に基づいて使用することを含むことを特徴とする請求項１に記載の方法。
【請求項６】
前記基地局が、端末へ、ＣＳＧ  ＩＤがあるかどうかを通知することは、
前記基地局が、ＣＳＧ  ＩＤがあるかどうかを指示する指示情報に対応する搬送周波数を、予め設定された搬送周波数と、ＣＳＧ  ＩＤがあるかどうかを指示する指示情報の対応関係に基づいて、情報送信過程において、使用することを含むことを特徴とする請求項１に記載の方法。
【請求項７】
前記対応関係は、前記基地局と前記端末により予め約束されたものであり、又は、システムから前記端末へ予め通知されたものであり、前記システムは、前記基地局、アクセス・サービス・ネットワーク・エレメント、接続サービス・ネットワーク・エレメントの一つを含むことを特徴とする請求項４から請求項６のいずれか一項に記載の方法。
【請求項８】
前記基地局が、端末へ、ＣＳＧ  ＩＤがあるかどうかを通知することは、
前記基地局が、端末へ、ＣＳＧ  ＩＤがあるかどうかを指示するための指示情報を送信することを含むことを特徴とする請求項１に記載の方法。
【請求項９】
前記基地局が、前記端末へ、指示情報を送信することは、
前記基地局が前記指示情報を制御メッセージに含ませて前記端末へ送信することを含み、前記制御メッセージは、スーパーフレーム・ヘッダ、ユーザー専用制御メッセージ、非ユーザー専用メッセージ、媒体アクセス層制御メッセージの少なくとも一つを含むことを特徴とする請求項８に記載の方法。
【請求項１０】
前記基地局がＣＳＧ  ＩＤを有する場合、前記方法は、
前記基地局が前記ＣＳＧ  ＩＤを制御メッセージに含ませて伝送することを更に備え、前記制御メッセージは、スーパーフレーム・ヘッダ、ユーザー専用制御メッセージ、非ユーザー専用メッセージ、媒体アクセス層制御メッセージの少なくとも一つを含むことを特徴とする請求項１〜請求項６、請求項８及び請求項９のいずれか一項に記載の方法。
【請求項１１】
前記基地局が、現在のスーパーフレーム、フレーム又はサブフレームには前記基地局のＣＳＧ  ＩＤが乗せられているかどうかを指示するシグナルを送信することを更に備え、前記シグナルは制御メッセージに含まれ、前記制御メッセージは、スーパーフレーム・ヘッダ、ユーザー専用制御メッセージ、非ユーザー専用メッセージ、媒体アクセス層制御メッセージの少なくとも一つを含むことを特徴とする請求項１０に記載の方法。
【請求項１２】
前記基地局が、端末へ、ＣＳＧ  ＩＤがあるかどうかを通知した後、前記方法は、
前記端末が前記基地局からの通知によって前記基地局がＣＳＧ  ＩＤがあるかどうかを判断し、有すると判断した場合、前記基地局の基地局識別子及び／又はＣＳＧ  ＩＤによって、前記基地局にアクセス要求を送信できるかどうかを判断することを更に備えることを特徴とする、請求項１〜請求項６、請求項８及び請求項９のいずれか一項に記載の方法。
【請求項１３】
システムが、端末へ、予め設定された基地局がＣＳＧ  ＩＤがあるかどうかを指示する指示情報と、システム・パラメータ情報のマッピング関係を送信することを備えることを特徴とする、ＣＳＧ  ＩＤ指示とシステム・パラメータのマッピング関係を通知する方法。
【請求項１４】
前記システムは、基地局、アクセス・サービス・ネットワーク・エレメント、接続サービス・ネットワーク・エレメントの一つを含むことを特徴とする請求項１３に記載の方法。
【請求項１５】
前記システム・パラメータ情報は、同期シーケンス、搬送周波数、セル識別子の一つを含み、前記同期シーケンスは、プライマリ同期チャネルにおいて送信される同期シーケンス及び／又はセカンダリ同期チャネルにおいて送信される同期シーケンスを含むことを特徴とする請求項１３又は請求項１４に記載の方法。
【請求項１６】
端末が基地局からの通知によって前記基地局がＣＳＧ  ＩＤがあるかどうかを判断することを備えることを特徴とする、ＣＳＧ  ＩＤ指示を取得する方法。
【請求項１７】
前記端末が基地局からの通知によって前記基地局がＣＳＧ  ＩＤがあるかどうかを判断することは、
前記端末が、前記基地局の使用するシステム・パラメータによって前記基地局がＣＳＧ  ＩＤがあるかどうかを判断することを含むことを特徴とする請求項１６に記載の方法。
【請求項１８】
前記システム・パラメータは、プライマリ同期シーケンス、セカンダリ同期シーケンス、セル識別子、搬送周波数の少なくとも一つを含むことを特徴とする請求項１７に記載の方法。
【請求項１９】
前記システム・パラメータと、ＣＳＧ  ＩＤがあるかどうかの対応関係は、前記基地局と前記端末により予め約束されたものであり、又は、システムから前記端末へ予め通知されたものであることを特徴とする請求項１７に記載の方法。
【請求項２０】
前記端末が基地局からの通知によって前記基地局がＣＳＧ  ＩＤがあるかどうかを判断することは、
前記端末が、前記基地局の送信した制御シグナルに含まれる指示情報を受信して、前記指示情報の指示によって前記基地局がＣＳＧ  ＩＤがあるかどうかを判断することを含むことを特徴とする請求項１６に記載の方法。
【請求項２１】
フェムト基地局が、それの基地局タイプを端末へ通知することを備え、前記基地局タイプは、企業型フェムト基地局及び／又は家庭型フェムト基地局を含むことを特徴とする、基地局タイプを指示する方法。
【請求項２２】
前記フェムト基地局は、ＣＳＧ型フェムト基地局であることを特徴とする請求項２１に記載の方法。
【請求項２３】
前記フェムト基地局の基地局タイプが企業型フェムト基地局である場合、前記フェムト基地局はＣＳＧ  ＩＤを有することを特徴とする請求項２１又は請求項２２に記載の方法。
【請求項２４】
前記フェムト基地局が企業型フェムト基地局である場合、前記端末は、ＣＳＧ  ＩＤ及び／又はＢＳ  ＩＤによって前記フェムト基地局にアクセスできるかどうかを判断し、前記フェムト基地局が家庭型フェムト基地局である場合、前記端末は、セル識別子及び／又はＢＳ  ＩＤによって前記フェムト基地局にアクセスできるかどうかを判断することを特徴とする請求項２１又は請求項２２に記載の方法。
【請求項２５】
前記フェムト基地局がその基地局タイプを端末へ通知することは、
前記フェムト基地局が、予め設定された前記基地局タイプとシステム・パラメータのマッピング関係に基づいて、該基地局タイプに対応のシステム・パラメータを使用して、その基地局タイプを前記端末へ通知することを含むことを特徴とする請求項２１に記載の方法。
【請求項２６】
前記システム・パラメータは、同期シーケンス、セル識別子、搬送周波数の一つを含むことを特徴とする請求項２５に記載の方法。
【請求項２７】
前記基地局タイプとシステム・パラメータのマッピング関係は、システムより端末へ通知され、且つ／又は、前記フェムト基地局と前記端末の約束によって配置されることを特徴とする請求項２５に記載の方法。
【請求項２８】
前記基地局タイプを指示する情報は、前記制御シグナルに含まれることを特徴とする請求項２１に記載の方法。
【請求項２９】
前記制御シグナルは、スーパーフレーム・ヘッダ、ユーザー専用制御メッセージ、非ユーザー専用メッセージ、媒体アクセス層制御メッセージの少なくとも一つを含むことを特徴とする請求項２８に記載の方法。
【発明の詳細な説明】
【技術分野】
【０００１】
本発明は、通信分野に関し、具体的には、限定加入者グループ識別子を指示する方法、基地局タイプを指示する方法及び限定加入者グループ識別子指示を取得する方法に関する。
【背景技術】
【０００２】
無線通信システムにおいて、基地局とは、端末にサービスを提供する装置であり、それが、上りリンク／下りリンクによって端末と通信を行うことができる。ここで、下り（前向き）とは、基地局から端末への方向であり、上り（逆方向）とは、端末から基地局への方向である。通常の適用において、複数の端末は、同時に上りリンクによって基地局へデータを送信するもできるし、同時に下りリンクによって基地局からデータを受信することもできる。
【０００３】
移動ネットワークにおいて、無線カバー品質は、端末が高速データ、音声サービス及びビデオ・サービスを享受する重要な保証である。現在、無線ネットワークのシームレスなカバーを実現するために、室内、ホット・エリアにおけるカバー問題を重点的に解決する必要があるが、主に、下記のような二つの方策を採用してカバーを行い、一つは、マクロ基地局（Ｍａｃｒｏ  ＢＳ）の数と密度を増加させる（即ち、マクロセル（Ｍａｃｒｏ  Ｃｅｌｌ）の数と密度を増加させる）ことであり、もう一つは、室内でフェムト基地局（Ｆｅｍｔｏ  ＢＳ：個人基地局と称されてもよい）（フェムトセル（Ｆｅｍｔｏ  Ｃｅｌｌ）と言ってもよい）、ピコ基地局（Ｐｉｃｏ  ＢＳ）（ピコセル（Ｐｉｃｏ  Ｃｅｌｌ）と言ってもよい）、マイクロ基地局（Ｍｉｃｒｏ  ＢＳ）（マイクロセル（Ｍｉｃｒｏ  Ｃｅｌｌ）と言ってもよい）などの送信電力が低い小型基地局を取り付けることである。
【０００４】
シャノン（Ｓｈａｎｎｏｎ）の法則によると、従来のマクロ基地局によるカバーの場合、周波数スペクトルが占められる量が周波数スペクトルの使用容量の限界に近づいていくので、電力が大きいマクロ基地局を更に増やしても、室内のカバーを更に改善できない一方、より多くの放射能汚染を引き起こしてしまう。しかしながら、Ｆｅｍｔｏ  ＢＳ、Ｐｉｃｏ  ＢＳ、Ｍｉｃｒｏ  ＢＳなどの小型基地局を使用すると、室内、ホット・エリアにおけるカバー問題をよく解決できるだけでなく、現在の周波数スペクトル・リソースにおいてシステム容量を向上させることもできる。
【０００５】
長期発展型（Ｌｏｎｇ  Ｔｅｒｍ  Ｅｖｏｌｕｔｉｏｎ：ＬＴＥと略称する）及びＩＥＥＥ  ８０２．１６規格において、フェムト基地局は、すべての端末にサービスを提供することもできるし（このようなフェムト基地局が開放的加入者グループ（Ｏｐｅｎ  Ｓｕｂｓｃｒｉｂｅｒ  Ｇｒｏｕｐ：ＯＳＧと略称する）型フェムト基地局と呼ばれる）、特定の一組の許可された端末のみにサービスを提供することもでき（このようなフェムト基地局が限定加入者グループ（Ｃｌｏｓｅ  Ｓｕｂｓｃｒｉｂｅｒ  Ｇｒｏｕｐ：ＣＳＧと略称する）型フェムト基地局と呼ばれる）る。ＣＳＧ型フェムト基地局は、また、ＧＳＧ−Ｃｌｏｓｅｄ型とＣＳＧ−Ｏｐｅｎ型という二つのタイプに分けられることができる。ここで、ＧＳＧ−Ｃｌｏｓｅｄ型フェムト基地局は、一般に、特定の許可された端末又は緊急業務を行う必要がある端末にのみサービスを提供するが、ＣＳＧ−Ｏｐｅｎ型フェムト基地局は、特定の許可されたユーザーに対するサービスの品質を保証する上で、他の許可されていないユーザーにサービスを提供することが許可できる。
【０００６】
通常、端末が適当なフェムト基地局をサービス基地局として選択する便利性を図るために、この端末がアクセス可能なフェムト基地局の情報リスト（ホワイト・リストと呼ばれてよく、即ち、Ｗｈｉｔｅ  Ｌｉｓｔである）を該端末にメンテナンスすることができる。この情報リストには、一般、関連する各フェムト基地局の識別情報を含み、識別情報は、フェムト基地局のＢＳ＿ＩＤであってよいし、フェムト基地局のＣＳＧ＿ＩＤ（Ｃｌｏｓｅ  Ｓｕｂｓｃｒｉｂｅｒ  Ｇｒｏｕｐ  Ｉｄｅｎｔｉｆｉｅｒ：限定加入者グループ識別子）であってもよい。フェムト基地局が家庭ユーザー内部で使用される場合、端末は、一般に、このフェムト基地局のＢＳ＿ＩＤをメンテナンスし、フェムト基地局が企業のオフィスビル内部又はある娯楽場に配置される場合、このようなフェムト基地局が何百もある可能性があるので、端末にとって、リアルタイム的に位置状況に従ってＢＳ＿ＩＤ情報に基づくリストを更新することを実現することが困難であり、且つ大量の端末記憶リソースを占有する必要があるので、この場合、一つのＣＳＧ  ＩＤを複数のフェムト基地局で共有させることができ、そうすれば、端末は、情報リストに保存されるＣＳＧ  ＩＤ情報によって選択待ちのフェムト基地局が自分からのアクセスを許可するフェムト基地局であるかどうかを判断できる。
【発明の概要】
【発明が解決しようとする課題】
【０００７】
しかしながら、決して全てのフェムト基地局がＣＳＧ  ＩＤを有するのではないので、候補フェムト基地局は、端末が次に基地局識別子又はＣＳＧ  ＩＤによって候補フェムト基地局が自分にサービスを提供できるかどうかを判断できるように、ＣＳＧ  ＩＤ又は基地局タイプを有するかどうかを端末に知らせる必要がある。しかし、現在の適用において、端末は、フェムト基地局がＣＳＧ  ＩＤ及びより具体的な基地局タイプを有するかどうかを知ることができないので、次のプロセスにおいて、基地局識別子又はＣＳＧ  ＩＤによって候補フェムト基地局が端末にサービスを提供できるかを判断できない。
【課題を解決するための手段】
【０００８】
本発明は、前記問題を解決するように、ＣＳＧ  ＩＤを指示する方法、ＣＳＧ  ＩＤとシステム・パラメータ情報とのマッピング関係を通知する方法、ＣＳＧ  ＩＤ指示を取得する方法及び基地局タイプを指示する方法を提供することを主な目的とする。
【０００９】
本発明の一方面によると、基地局が、端末へ、ＣＳＧ  ＩＤがあるかどうかを通知することを備える、ＣＳＧ  ＩＤを指示する方法を提供する。
【００１０】
具体的には、基地局は、端末へ、ＣＳＧ  ＩＤがあるかどうかを、同期シーケンス、セル識別子、搬送周波数又は制御シグナルによって通知することができる。
【００１１】
本発明のまた他の方面によると、システムが、端末へ、予め設定された基地局がＣＳＧ  ＩＤがあるかどうかを指示する指示情報と、システム・パラメータ情報のマッピング関係を送信することを備える、ＣＳＧ  ＩＤ指示とシステム・パラメータ情報のマッピング関係を通知する方法を提供する。
【００１２】
好ましくは、前記システムは、基地局、アクセス・サービス・ネットワーク・エレメント、接続サービス・ネットワーク・エレメントの一つを含む。
【００１３】
好ましくは、前記システム・パラメータ情報は、同期シーケンス、搬送周波数、セル識別子の一つの含み、ここで、同期シーケンスは、プライマリ同期チャネルにおいて送信される同期シーケンス及び／又はセカンダリ同期チャネルにおいて送信される同期シーケンスを含む。
【００１４】
本発明のまた一つの方面によると、端末が基地局からの通知によって前記基地局がＣＳＧ  ＩＤを有するかどうかを判断することを備える、ＣＳＧ  ＩＤ指示を取得する方法を提供する。
【００１５】
更に、端末が基地局からの通知によって前記基地局がＣＳＧ  ＩＤがあるかどうかを判断することは、端末が基地局の使用するシステム・パラメータによって前記基地局がＣＳＧ  ＩＤを有するかどうかを判断することを含む。
【００１６】
好ましくは、前記システム・パラメータは、プライマリ同期シーケンス、セカンダリ同期シーケンス、セル識別子、搬送周波数の少なくとも一つを含む。
【００１７】
更に、端末が基地局からの通知によって該基地局がＣＳＧ  ＩＤがあるかどうかを判断することは、端末が基地局の送信した指示情報を受信し、そして、この指示情報の指示によって基地局がＣＳＧ  ＩＤがあるかどうかを判断することを含む。ここで、この指示情報は、制御シグナルに乗せられる。
【００１８】
本発明の更なる一つの方面によると、フェムト基地局がその基地局タイプを端末へ通知することを備える、基地局タイプを指示する方法を提供する。ここで、この基地局タイプは、企業型フェムト基地局及び／又は家庭型フェムト基地局を含む。
【００１９】
フェムト基地局がＣＳＧ型フェムト基地局であることが好ましい。
【００２０】
更に、フェムト基地局の基地局タイプが企業型フェムト基地局である場合、フェムト基地局は、ＣＳＧ  ＩＤを有する。
【００２１】
更に、フェムト基地局が企業型フェムト基地局である場合、端末は、ＣＳＧ  ＩＤ及び／又はＢＳ  ＩＤによってこのフェムト基地局にアクセスできるかどうかを判断し、このフェムト基地局が家庭型フェムト基地局である場合、端末は、セル識別子及び／又はＢＳ  ＩＤによって、このフェムト基地局にアクセスできるかどうかを判断する。
【００２２】
好ましくは、フェムト基地局がその基地局タイプを端末へ通知することは、フェムト基地局が、予め設定された基地局タイプとシステム・パラメータのマッピング関係に基づいて、このフェムト基地局の基地局タイプに対応するシステム・パラメータを使用して、端末へこのフェムト基地局の基地局タイプを通知することを含む。
【００２３】
更に、前記システム・パラメータは、同期シーケンス、セル識別子、搬送周波数の一つを含む。
【００２４】
本発明により、基地局が、現在使用中のシステム・パラメータ、又は、端末に指示情報を送信することによって、この基地局にはＣＳＧ  ＩＤがある（又は、有することと称する）かどうか、及び具体的な基地局タイプを端末へ通知し、よって、従来技術における、端末が基地局がＣＳＧ  ＩＤがあるかどうか及び具体的な基地局タイプを取得できないことによるアクセス時間遅延の問題が解決され、端末でのメンテナンスが必要なアクセス基地局情報の取り扱いやすさが保証され、システム全体の端末に対するサービス品質を向上させた。
【図面の簡単な説明】
【００２５】
ここで説明する図面は本発明を理解させるためのもので、本発明の一部を構成し、本発明における実施例と共に本発明を解釈し、本発明を不当に限定するのではない。
【図１】図１は、本発明の実施例によるＣＳＧ  ＩＤの指示方法の模式図である。
【図２】図２は、本発明の実施例によるＣＳＧ  ＩＤ指示とシステム・パラメータ情報のマッピング関係の通知方法の模式図である。
【図３】図３は、本発明の実施例によるＣＳＧ  ＩＤ指示の取得方法のフロー図である。
【図４】図４は、本発明の実施例１１における端末によるアクセス基地局の選択のフロー図である。
【図５】図５は、本発明の実施例１２における端末によるアクセス基地局の選択のフロー図である。
【図６】図６は、本発明の実施例１３における端末によるアクセス基地局の選択のフロー図である。
【図７】図７は、本発明の実施例１４における端末によるアクセス基地局の選択のフロー図である。
【図８】図８は、本発明の実施例による基地局タイプの指示方法の模式図である。
【発明を実施するための形態】
【００２６】
以下、図面を参照して実施例に合わせて本発明を詳しく説明する。矛盾しない限り、本願における実施例及び実施例における特徴は、お互いに組み合わせられてよいことは注意すべきである。
【００２７】
本発明の実施例によると、まず、ＣＳＧ  ＩＤを指示する方法を提供する。
【００２８】
図１は、本発明の実施例によるＣＳＧ  ＩＤの指示方法の模式図である。図１に示すように、本発明の実施例において、基地局は、ＣＳＧ  ＩＤがあるかどうかを自発的に端末へ通知し、具体的には、基地局は、使用するシステム・パラメータによって端末へ通知してもよいし、又は、端末へ指示情報を送信することによって端末へ通知してもよい。
【００２９】
具体的な実施プロセスにおいて、前記基地局は、マクロ基地局、マイクロ基地局、ピコ基地局及びフェムト基地局を含むが、これらに限定されない。
【００３０】
前記基地局がフェムト基地局であることが好ましい。
【００３１】
前記基地局がＣＳＧ型フェムト基地局であることがより好ましい。
【００３２】
前記基地局が企業型フェムト基地局又は家庭型フェムト基地局であることがより好ましい。
【００３３】
具体的な実施プロセスにおいて、基地局が、ＣＳＧ  ＩＤがあるかどうかを端末へ通知する方式は、基地局が、ＣＳＧ  ＩＤがあるかどうかを、予め設定されたパーティションにおける同期シーケンスを端末へ送信することによって指示する方式１と、基地局が、それがＣＳＧ  ＩＤがあるかどうかを、予め設定されたセル識別子（Ｃｅｌｌ  ＩＤ）を使用して端末へ通知する通知する方式２と、基地局が、それがＣＳＧ  ＩＤがあるかどうかを、予め設定された搬送周波数を使用して端末へ通知する通知する方式３と、基地局が、それがＣＳＧ  ＩＤがあるかどうかを、ＣＳＧ  ＩＤがあるかどうかを指示する指示情報を端末へ送信することによって端末へ通知する方式４と、を含むが、これらに限定されない。
【００３４】
以下、上記の４種類の方式について説明する。
【００３５】
方式１
基地局は、ＣＳＧ  ＩＤがあるかどうかを、特定のプライマリ同期シーケンス及び／又はセカンダリ同期シーケンスを送信することによって端末へ通知する。
【００３６】
具体的には、同期シーケンスと、ＣＳＧ  ＩＤがあるかどうかを指示する指示情報の対応関係を予め設定でき、即ち、プライマリ同期シーケンス・パーティション及び／又はセカンダリ同期シーケンス・パーティションを若干のサブパーティションに分けて、その１つのサブパーティションのプライマリ同期シーケンス又はセカンダリ同期シーケンスを、基地局がＣＳＧ  ＩＤを有することを指示するためのものとして設定し、その他のサブパーティションのプライマリ同期シーケンス又はセカンダリ同期シーケンスを、基地局がＣＳＧ  ＩＤを有しないことを指示するためのものとして設定し、基地局は、プライマリ同期シーケンス及び／又はセカンダリ同期シーケンスを送信する場合、基地局がＣＳＧ  ＩＤがあるかどうかによって、対応のプライマリ同期シーケンス又はセカンダリ同期シーケンスを端末へ送信する。
【００３７】
具体的な適用において、ＣＳＧ  ＩＤがあるかどうかを指示する指示情報と、プライマリ同期シーケンス及び／又はセカンダリ同期シーケンスとの対応関係情報は、システムより端末へ通知されることができる。或いは、この対応関係は、基地局と端末との事前の約束、即ち規格によりデフォルト配置されてもよい。
【００３８】
方式２
基地局は、ＣＳＧ  ＩＤがあるかどうかを、予め設定されたセル識別子を使用して端末へ通知する。
【００３９】
具体的には、セル識別子と、ＣＳＧ  ＩＤがあるかどうかを指示する指示情報との対応関係を予め設定でき、即ち、セル識別子パーティションを若干のサブパーティションに分けて、その１つのサブパーティションにおけるセル識別子を、基地局がＣＳＧ  ＩＤを有することを指示するためのものとして設定し、その他のサブパーティションにおけるセル識別子を、基地局がＣＳＧ  ＩＤを有しないことを指示するためのものとして設定し、基地局は、それがＣＳＧ  ＩＤがあるかどうかによって、対応のサブパーティションにおけるセル識別子を使用する。
【００４０】
具体的な適用において、ＣＳＧ  ＩＤがあるかどうかを指示する指示情報とセル識別子の対応関係情報は、システムより端末へ通知されることができる。或いは、この対応関係は、基地局と端末との事前の約束、即ち規格によりデフォルト配置されてもよい。
【００４１】
方式３
基地局は、ＣＳＧ  ＩＤがあるかどうかを、予め設定された搬送周波数を使用して通知する。
【００４２】
具体的には、搬送周波数と、ＣＳＧ  ＩＤがあるかどうかを指示する指示情報との対応関係を予め設定でき、即ち、搬送周波数パーティションを若干のサブパーティションに分けて、その１つのサブパーティションにおける搬送周波数を、基地局がＣＳＧ  ＩＤを有することを指示するためのものとして設定し、その他のサブパーティションにおける搬送周波数を、基地局がＣＳＧ  ＩＤを有しないことを指示するためのものとして設定し、基地局は、ＣＳＧ  ＩＤがあるかどうかによって、対応のサブパーティションにおける搬送周波数を使用する。
【００４３】
具体的な適用において、ＣＳＧ  ＩＤがあるかどうかを指示する指示情報と搬送周波数との対応関係情報は、システムより端末へ通知されることができる。或いは、この対応関係は、基地局と端末との事前の約束、即ち規格によりデフォルト配置されてもよい。
【００４４】
方式４
基地局は、指示情報を端末へ送信してＣＳＧ  ＩＤがあるかどうかを指示する。
【００４５】
具体的な実施プロセスにおいて、基地局がこの指示情報を送信する方式は、ブロード・キャスト、マルチキャスト又はユニキャストを含むが、これらに限定されない。
【００４６】
又、具体的な適用において、基地局は、前記指示情報を制御メッセージに含ませて送信でき、ここで、この制御メッセージは、スーパーフレーム・ヘッダ、ユーザー専有制御メッセージ、非ユーザー専有制御メッセージ、媒体アクセス層制御メッセージ（ＭＡＣ  Ｃｏｎｔｒｏｌ  Ｍｅｓｓａｇｅ：Ｍｅｄｉｕｍ  Ａｃｃｅｓｓ  Ｃｏｎｔｒｏｌ）等の一つ又はその任意の組合せを含むが、これらに限定されない。
【００４７】
前記４種類の方式のいずれかに対して、基地局は、ＣＳＧ  ＩＤを有する場合、そのＣＳＧ  ＩＤを制御メッセージに含ませて送信できる。ここで、この制御メッセージは、スーパーフレーム・ヘッダ、ユーザー専有制御メッセージ、非ユーザー専有制御メッセージ、媒体アクセス層制御メッセージ（ＭＡＣ  Ｃｏｎｔｒｏｌ  Ｍｅｓｓａｇｅ：Ｍｅｄｉｕｍ  Ａｃｃｅｓｓ  Ｃｏｎｔｒｏｌ、例えば、隣接セルリストメッセージ（ＡＡＩ＿ＮＢＲ＿ＡＤＶ）、システム構成記述子メッセージ（ＡＡＩ＿Ｓｙｓｔｅｍ  Ｃｏｎｆｉｇｕｒａｔｉｏｎ  Ｄｅｓｃｒｉｐｔｏｒ（ＳＣＤ）Ｍｅｓｓａｇｅ）等）の少なくとも一つを含むが、これらに限定されない。
【００４８】
好ましくは、基地局は、現在のスーパーフレーム、フレーム又はサブフレームにはそのＣＳＧ  ＩＤ情報が乗せられているかどうかを指示するシグナルを端末へ送信できる。
【００４９】
好ましくは、前記シグナルは、スーパーフレーム・ヘッダ（Ｓｕｐｅｒ  Ｆｒａｍｅ  Ｈｅａｄｅｒ：ＳＦＨと略称する）、ユーザー専有制御メッセージ、非ユーザー専有制御メッセージ、媒体アクセス層メッセージ（ＭＡＣ  Ｍｅｓｓａｇｅ：Ｍｅｄｉｕｍ  Ａｃｃｅｓｓ  Ｃｏｎｔｒｏｌ）等の制御メッセージに含まれて送信されてよい。
【００５０】
又、基地局のＣＳＧ  ＩＤとＢＳ  ＩＤは、あるマッピング関係があり、即ち、基地局のＢＳ  ＩＤによって、あるマッピング関係に応じて、この基地局のＣＳＧ  ＩＤを得ることができ、又は、基地局のＣＳＧ  ＩＤによって、あるマッピング関係に応じて、この基地局のＢＳ  ＩＤを得ることができる。
【００５１】
具体的な実施プロセスにおいて、端末は、基地局からの通知によって、この基地局がＣＳＧ  ＩＤがあるかどうかを判断することができ、この基地局がＣＳＧ  ＩＤを有すると、基地局識別子及び／又はＣＳＧ  ＩＤによって、この基地局にアクセス要求を送信可能であるかどうかを判断し、即ち、この端末からのアクセスが該基地局に許可されるかどうかを判断し、この基地局がＣＳＧ  ＩＤを有しないと判断した場合、この基地局の基地局識別子によって、基地局へアクセス要求を送信可能であるかどうかを判断することができる。
【００５２】
以下、本発明の実施例によるＣＳＧ  ＩＤ指示とシステム・パラメータ情報のマッピング関係の通知方法を説明する。
【００５３】
本発明の実施例によるＣＳＧ  ＩＤ指示とシステム・パラメータ情報のマッピング関係の通知方法の模式図である図２に示すように、本発明の実施例において、システムは、予め設定されたＣＳＧ  ＩＤがあるかどうかを指示する指示情報とシステム・パラメータ情報のマッピング関係を端末へ送信する。
【００５４】
具体的な適用において、前記システムは、基地局、アクセスネットワークエレメント又は接続ネットワークエレメントを含むが、これらに限定されない。
【００５５】
具体的な実施プロセスにおいて、システムによる前記マッピング関係の送信方式は、ブロード・キャスト、マルチキャスト又はユニキャストを含むが、これらに限定されない。
【００５６】
具体的には、前記システム・パラメータ情報は、同期シーケンス、搬送周波数又はセル識別子を含むが、これらに限定されない。
【００５７】
好ましくは、前記システム・パラメータ情報が同期シーケンスである場合、この同期シーケンスは、プライマリ同期チャネルにおいて送信される同期シーケンス及び／又はセカンダリ同期チャネルにおいて送信される同期シーケンスであり、この同期シーケンスは、ネットワークにおける同期シーケンスの全部又は一部であることができる。
【００５８】
好ましくは、前記システム・パラメータ情報が搬送周波数である場合、前記搬送周波数は、ネットワークにおける搬送周波数の全部又は一部であることができる。
【００５９】
好ましくは、前記システム・パラメータ情報がセル識別子である場合、前記セル識別子は、ネットワークにおけるセル識別子の全部又は一部を含むことができる。
【００６０】
以下、本発明の実施例によるＣＳＧ  ＩＤ指示取得方法を説明する。
【００６１】
本発明の実施例によるＣＳＧ  ＩＤ指示取得方法のフロー図である図３に示すように、この方法は、下記のステップ（ステップＳ３０２〜ステップＳ３０４）を含む。
【００６２】
ステップＳ３０２において、端末が、基地局の使用するシステム・パラメータ又は基地局の送信した指示情報を取得する。
【００６３】
ステップＳ３０４において、端末が、前記システム・パラメータ又は指示情報によって、該基地局がＣＳＧ  ＩＤがあるかどうかを判断する。
【００６４】
具体的な実施プロセスにおいて、前記システム・パラメータは、基地局の送信したプライマリ同期シーケンス、基地局の送信したセカンダリ同期シーケンス、基地局のセル識別子、基地局の使用する搬送周波数の少なくとも一つを含むが、これらに限定されない。
【００６５】
更に、前記システム・パラメータと、ＣＳＧ  ＩＤがあるかどうかとの対応関係は、基地局と端末より予め約束されており、即ち、規格によりデフォルト配置されており、又は、前記対応関係は、システムより端末へ予め通知されており、ここで、システムは、基地局、アクセス・サービス・ネットワーク・エレメント、接続ネットワークエレメントの一つを含む。
【００６６】
前記ステップＳ３０４において、端末は、基地局がＣＳＧ  ＩＤを有すると判断すると、この基地局のＣＳＧ  ＩＤ及び／又はＢＳ  ＩＤによって自分からのアクセスが該基地局に許可されるかどうかを判断する。具体的には、基地局のＣＳＧ  ＩＤとＢＳ  ＩＤのいずれかが、端末のアクセス・リストにおける内容と対応する関係があると、端末は、自分からのアクセスが該基地局に許可されると判断する。好ましくは、基地局のＣＳＧ  ＩＤが端末のアクセス・リストにおける内容と対応する関係がある場合、端末は、自分からのアクセスが該基地局に許可されると判断する。
【００６７】
前記ステップＳ３０４において、端末は、基地局がＣＳＧ  ＩＤを有しないと判断した場合、この基地局のＢＳ  ＩＤによって自分からのアクセスが該基地局に許可されるかどうかを判断する。好ましくは、このＢＳ  ＩＤが端末のアクセス・リストにおける内容と対応する関係があると、端末は、自分からのアクセスが該基地局に許可されると判断する。
【００６８】
基地局が、ＣＳＧ  ＩＤがあるかどうかを端末へ通知し、端末が、基地局からの通知によって、次の処理を行う必要があるかどうかを判断する、本発明の実施例により提供される前記技術的方策によって、関連技術における、端末が基地局がＣＳＧ  ＩＤを有するかどうかを知らないことによるアクセス時間遅延の問題が解決され、端末でのメンテナンスが必要なアクセス基地局情報の取り扱いやすさが保証され、システム全体の端末に対するサービス品質を向上させた。
【００６９】
以下、具体的な実施例によって、本発明の実施例の提供する前記技術的方策を説明する。
【００７０】
実施例１
ＩＥＥＥ  ８０２．１６規格を例として、プライマリ同期シーケンス・パーティションは、若干のサブパーティションに分けられ、その一つのサブパーティション（Ｐｒｉｍａｒｙ  Ｐｒｅａｍｂｌｅ  Ｓｅｑｕｅｎｃｅ  Ｓｕｂ−Ｐａｒｔｉｔｉｏｎ）は、基地局がＣＳＧ  ＩＤを有することを指示することに用いられる。仮に基地局ＢＳ−ＡがＣＳＧ  ＩＤを有するとしたら、基地局ＢＳ−Ａは、プライマリ同期チャネルにおいてこのサブパーティションにおけるプライマリ同期シーケンスを送信することで、自分がＣＳＧ  ＩＤを有することを端末へ通知する。ここで、ＣＳＧ  ＩＤがあるかどうかを指示する指示情報とプライマリ同期シーケンスのマッピング関係は、規格によりデフォルト配置されてよく、且つ／又は、基地局（又はシステムのほかのエレメント、例としては、アクセス・サービス・ネットワーク・エレメント）よりシグナルによって端末へ通知されてもよい。
【００７１】
端末は、基地局ＢＳ−Ａの送信したプライマリ同期シーケンスを受信した後、前記マッピング関係によって、このプライマリ同期シーケンスが前記サブパーティションに属すると判断した場合、基地局ＢＳ−ＡがＣＳＧ  ＩＤを有することが分かる。
【００７２】
仮に次のプロセスにおいて基地局ＢＳ−ＡのＢＳ−ＩＤが先に取得され、基地局のＣＳＧ  ＩＤが後で取得されるとしたら、端末は、先にＢＳ  ＩＤを自分のローカルのアクセス・リストに比べる（即ち、このＢＳ  ＩＤが自分のローカルのアクセス・リストの内容と対応する関係があるかどうかを判断し、つまり、このＢＳ  ＩＤによって該基地局がアクセス・リストに識別された基地局に含まれるかどうかを判断する）ことによって、自分からのアクセスが基地局ＢＳ−Ａに許可されるかどうかを判断し、許可されないと、更に、ＣＳＧ  ＩＤを自分のローカルのアクセス・リストに比べることによって、自分からのアクセスが基地局ＢＳ−Ａに許可されるかどうかを判断し、許可されないと、この基地局を自分のアクセス基地局（即ち、サービス基地局）としない。
【００７３】
仮に次のプロセスにおいて、基地局ＢＳ−ＡのＣＳＧ  ＩＤが先に取得され、基地局のＢＳ  ＩＤが後で取得されるとしたら、端末は、先にＣＳＧ  ＩＤを自分のローカルのアクセス・リストに比べることによって、自分からのアクセスが基地局ＢＳ−Ａに許可されるかどうかを判断し、許可されないと、更に、ＢＳ  ＩＤを自分のローカルのアクセス・リストに比べることによって、自分からのアクセスが基地局ＢＳ−Ａに許可されるかどうかを判断し、許可されないと、この基地局を自分のアクセス基地局（サービス基地局）としない。
【００７４】
仮に次のプロセスにおいて、基地局ＢＳ−ＡのＣＳＧ  ＩＤとＢＳ  ＩＤが同時に取得されるとしたら、端末は、先にＣＳＧ  ＩＤを自分のローカルのアクセス・リストに比べることによって、自分からのアクセスが基地局ＢＳ−Ａに許可されるかどうかを判断してもよい。許可されないと、更に、ＢＳ  ＩＤを自分のローカルのアクセス・リストに比べることによって、自分からのアクセスが基地局ＢＳ−Ａに許可されるかどうかを判断し、許可されないと、この基地局を自分のアクセス基地局（サービス基地局）としない。或いは、先にＢＳ  ＩＤを自分のローカルのアクセス・リストに比べることによって、自分からのアクセスが基地局ＢＳ−Ａに許可されるかどうかを判断してもよく、許可されないと、更に、ＣＳＧ  ＩＤを自分のローカルのアクセス・リストに比べることによって、自分からのアクセスが基地局ＢＳ−Ａに許可されるかどうかを判断し、許可されないと、この基地局を自分のアクセス基地局（サービス基地局）としない。或いは、同時にＢＳ  ＩＤとＣＳＧ  ＩＤを自分のローカルのアクセス・リストに比べることによって判断してもよく、両者のいずれかが端末のローカルのアクセス・リストの内容に対応する場合、端末からのアクセスが基地局ＢＳ−Ａに許可され、対応しない場合、端末からのアクセスが許可されない。
【００７５】
基地局ＢＳ−Ａは、マクロ基地局、マイクロ基地局、ピコ基地局又はフェムト基地局であることができるが、ＣＳＧ型（ＣＳＧ−ＣｌｏｓｅｄとＣＳＧ−Ｏｐｅｎとを含む）フェムト基地局であることが好ましく、ＣＳＧ−Ｃｌｏｓｅｄ型フェムト基地局であることがより好ましい。
【００７６】
基地局ＢＳ−Ａは、そのＣＳＧ  ＩＤをスーパーフレーム・ヘッダに含ませて送信してもよいし、制御メッセージによって送信してもよい。この制御メッセージは、ユーザー専有制御メッセージ、非ユーザー専有制御メッセージ又は媒体アクセス層メッセージ（ＭＡＣ  Ｍｅｓｓａｇｅ：Ｍｅｄｉｕｍ  Ａｃｃｅｓｓ  Ｃｏｎｔｒｏｌ）であることができるが、媒体アクセス層メッセージであることが好ましい。
【００７７】
又、基地局ＢＳ−Ａは、シグナルを送信することによって、現在のスーパーフレーム、フレーム又はサブフレームには基地局のＣＳＧ  ＩＤ情報が乗せられているかどうかを指示できる。好ましくは、このシグナルは、スーパーフレーム・ヘッダにおいて送信されることができるが、制御メッセージにおいて送信されてもよい。この制御メッセージは、ユーザー専有制御メッセージ、非ユーザー専有制御メッセージ又は媒体アクセス層メッセージ（ＭＡＣ  Ｍｅｓｓａｇｅ：Ｍｅｄｉｕｍ  Ａｃｃｅｓｓ  Ｃｏｎｔｒｏｌ）などの制御メッセージであることができる。
【００７８】
実施例２
ＩＥＥＥ  ８０２．１６規格を例として、セカンダリ同期シーケンス・パーティションは、若干のサブパーティションに分けられ、その一つのサブパーティション（Ｓｅｃｏｎｄａｒｙ  Ｐｒｅａｍｂｌｅ  Ｓｅｑｕｅｎｃｅ  Ｓｕｂ−Ｐａｒｔｉｔｉｏｎ）は、基地局がＣＳＧ  ＩＤを有することを指示することに用いられる。仮に基地局ＢＳ−ＡがＣＳＧ  ＩＤを有するとしたら、基地局ＢＳ−Ａは、セカンダリ同期チャネルにおいてこのサブパーティションにおけるセカンダリ同期シーケンスを送信することで、自分がＣＳＧ  ＩＤを有することを端末へ通知する。ここで、ＣＳＧ  ＩＤがあるかどうかを指示する指示情報とセカンダリ同期シーケンスのマッピング関係は、規格によりデフォルト配置されてよく、且つ／又は、基地局（又はシステムのほかのエレメント、例としては、アクセス・サービス・ネットワーク・エレメント）からシグナルによって端末へ通知されてもよい。
【００７９】
端末は、基地局ＢＳ−Ａの送信したセカンダリ同期シーケンスを受信した後、前記マッピング関係によって、このセカンダリ同期シーケンスが前記サブパーティションに属すると判断した場合、基地局ＢＳ−ＡがＣＳＧ  ＩＤを有することが分かる。
【００８０】
仮に次のプロセスにおいて基地局ＢＳ−ＡのＢＳ−ＩＤが先に取得され、基地局のＣＳＧ  ＩＤが後で取得されるとしたら、端末は、先にＢＳ  ＩＤを自分のローカルのアクセス・リストに比べることによって、自分からのアクセスが基地局ＢＳ−Ａに許可されるかどうかを判断し、許可されないと、更に、ＣＳＧ  ＩＤを自分のローカルのアクセス・リストに比べることによって、自分からのアクセスが基地局ＢＳ−Ａに許可されるかどうかを判断し、許可されないと、この基地局を自分のアクセス基地局（サービス基地局）としない。
【００８１】
仮に次のプロセスにおいて、基地局ＢＳ−ＡのＣＳＧ  ＩＤが先に取得され、基地局のＢＳ  ＩＤが後で取得されるとしたら、端末は、先にＣＳＧ  ＩＤを自分のローカルのアクセス・リストに比べることによって、自分からのアクセスが基地局ＢＳ−Ａに許可されるかどうかを判断し、許可されないと、更に、ＢＳ  ＩＤを自分のローカルのアクセス・リストに比べることによって、自分からのアクセスが基地局ＢＳ−Ａに許可されるかどうかを判断し、許可されないと、この基地局を自分のアクセス基地局（サービス基地局）としない。
【００８２】
仮に次のプロセスにおいて、基地局ＢＳ−ＡのＣＳＧ  ＩＤとＢＳ  ＩＤが同時に取得されるとしたら、端末は、先にＣＳＧ  ＩＤを自分のローカルのアクセス・リストに比べることによって、自分からのアクセスが基地局ＢＳ−Ａに許可されるかどうかを判断してもよい。許可されないと、更に、ＢＳ  ＩＤを自分のローカルのアクセス・リストに比べることによって、自分からのアクセスが基地局ＢＳ−Ａに許可されるかどうかを判断し、許可されないと、この基地局を自分のアクセス基地局（サービス基地局）としない。或いは、先にＢＳ  ＩＤを自分のローカルのアクセス・リストに比べることによって、自分からのアクセスが基地局ＢＳ−Ａに許可されるかどうかを判断してもよく、許可されないと、更に、ＣＳＧ  ＩＤを自分のローカルのアクセス・リストに比べることによって、自分からのアクセスが基地局ＢＳ−Ａに許可されるかどうかを判断し、許可されないと、この基地局を自分のアクセス基地局（サービス基地局）としない。或いは、同時にＢＳ  ＩＤとＣＳＧ  ＩＤを自分のローカルのアクセス・リストに比べることによって判断してもよく、両者のいずれかが端末のローカルのアクセス・リストの内容に対応する場合、端末からのアクセスが基地局ＢＳ−Ａに許可され、対応しない場合、端末からのアクセスが許可されない。
【００８３】
基地局ＢＳ−Ａは、マクロ基地局、マイクロ基地局、ピコ基地局又はフェムト基地局であることができるが、ＣＳＧ型（ＣＳＧ−ＣｌｏｓｅｄとＣＳＧ−Ｏｐｅｎとを含む）フェムト基地局であることが好ましく、ＣＳＧ−Ｃｌｏｓｅｄ型フェムト基地局であることがより好ましい。
【００８４】
基地局ＢＳ−Ａは、そのＣＳＧ  ＩＤをスーパーフレーム・ヘッダに含ませて送信してもよいし、又は、制御メッセージによってそのＣＳＧ  ＩＤを送信してよく、この制御メッセージは、ユーザー専有制御メッセージ、非ユーザー専有制御メッセージ又は媒体アクセス層メッセージ（ＭＡＣ  Ｍｅｓｓａｇｅ：Ｍｅｄｉｕｍ  Ａｃｃｅｓｓ  Ｃｏｎｔｒｏｌ）であることができるが、媒体アクセス層メッセージであることが好ましい。
【００８５】
又、基地局ＢＳ−Ａは、シグナルを送信することによって、現在のスーパーフレーム、フレーム又はサブフレームには基地局のＣＳＧ  ＩＤ情報が乗せられているかどうかを指示できる。好ましくは、このシグナルは、スーパーフレーム・ヘッダにおいて送信されることができるが、制御メッセージにおいて送信されてもよい。この制御メッセージは、ユーザー専有制御メッセージ、非ユーザー専有制御メッセージ又は媒体アクセス層メッセージ（ＭＡＣ  Ｍｅｓｓａｇｅ：Ｍｅｄｉｕｍ  Ａｃｃｅｓｓ  Ｃｏｎｔｒｏｌ）などの制御メッセージであることができる。
【００８６】
実施例３
ＩＥＥＥ  ８０２．１６規格を例として、プライマリ同期シーケンスとセカンダリ同期シーケンスから構成されるパーティションは、若干のサブパーティションに分けられ、その一つのサブパーティション（Ｓｅｃｏｎｄａｒｙ  Ｐｒｅａｍｂｌｅ  Ｓｅｑｕｅｎｃｅ  Ｓｕｂ−Ｐａｒｔｉｔｉｏｎ）は、基地局がＣＳＧ  ＩＤを有することを指示することに用いられる。仮に基地局ＢＳ−ＡがＣＳＧ  ＩＤを有するとしたら、基地局ＢＳ−Ａは、プライマリ同期チャネルにおいてこのサブパーティションにおけるプライマリ同期シーケンスを送信し、セカンダリ同期チャネルにおいてこのサブパーティションにおけるセカンダリ同期シーケンスを送信することで、自分がＣＳＧ  ＩＤを有することを端末へ通知する。ここで、ＣＳＧ  ＩＤがあるかどうかを指示する指示情報とプライマリ同期シーケンス及びセカンダリ同期シーケンスのマッピング関係は、規格によりデフォルト配置され、且つ／又は、基地局からシグナルによって端末へ通知されることができる。
【００８７】
端末は、基地局ＢＳ−Ａの送信したプライマリ同期シーケンス及びセカンダリ同期シーケンスを受信した後、前記マッピング関係によって、受信したプライマリ同期シーケンス及びセカンダリ同期シーケンスが前記サブパーティションに属すると判断した場合、基地局ＢＳ−ＡがＣＳＧ  ＩＤを有することが分かる。
【００８８】
仮に次のプロセスにおいて基地局ＢＳ−ＡのＢＳ−ＩＤが先に取得され、基地局のＣＳＧ  ＩＤが後で取得されるとしたら、端末は、先にＢＳ  ＩＤを自分のローカルのアクセス・リストに比べることによって、自分からのアクセスが基地局ＢＳ−Ａに許可されるかどうかを判断し、許可されないと、更に、ＣＳＧ  ＩＤを自分のローカルのアクセス・リストに比べることによって、自分からのアクセスが基地局ＢＳ−Ａに許可されるかどうかを判断し、許可されないと、この基地局を自分のアクセス基地局（サービス基地局）としない。
【００８９】
仮に次のプロセスにおいて、基地局ＢＳ−ＡのＣＳＧ  ＩＤが先に取得され、基地局のＢＳ  ＩＤが後で取得されるとしたら、端末は、先にＣＳＧ  ＩＤを自分のローカルのアクセス・リストに比べることによって、自分からのアクセスが基地局ＢＳ−Ａに許可されるかどうかを判断し、許可されないと、更に、ＢＳ  ＩＤを自分のローカルのアクセス・リストに比べることによって、自分からのアクセスが基地局ＢＳ−Ａに許可されるかどうかを判断し、許可されないと、この基地局を自分のアクセス基地局（サービス基地局）としない。
【００９０】
仮に次のプロセスにおいて、基地局ＢＳ−ＡのＣＳＧ  ＩＤとＢＳ  ＩＤが同時に取得されるとしたら、端末は、先にＣＳＧ  ＩＤを自分のローカルのアクセス・リストに比べることによって、自分からのアクセスが基地局ＢＳ−Ａに許可されるかどうかを判断してもよい。許可されないと、更に、ＢＳ  ＩＤを自分のローカルのアクセス・リストに比べることによって、自分からのアクセスが基地局ＢＳ−Ａに許可されるかどうかを判断し、許可されないと、この基地局を自分のアクセス基地局（サービス基地局）としない。或いは、先にＢＳ  ＩＤを自分のローカルのアクセス・リストに比べることによって、自分からのアクセスが基地局ＢＳ−Ａに許可されるかどうかを判断してもよく、許可されないと、更に、ＣＳＧ  ＩＤを自分のローカルのアクセス・リストに比べることによって、自分からのアクセスが基地局ＢＳ−Ａに許可されるかどうかを判断し、許可されないと、この基地局を自分のアクセス基地局（サービス基地局）としない。或いは、同時にＢＳ  ＩＤとＣＳＧ  ＩＤを自分のローカルのアクセス・リストに比べることによって判断してもよく、両者のいずれかが端末のローカルのアクセス・リストの内容に対応する場合、端末からのアクセスが基地局ＢＳ−Ａに許可され、対応しない場合、端末からのアクセスが許可されない。
【００９１】
基地局ＢＳ−Ａは、マクロ基地局、マイクロ基地局、ピコ基地局又はフェムト基地局であることができるが、ＣＳＧ型（ＣＳＧ−ＣｌｏｓｅｄとＣＳＧ−Ｏｐｅｎとを含む）フェムト基地局であることが好ましく、ＣＳＧ−Ｃｌｏｓｅｄ型フェムト基地局であることがより好ましい。
【００９２】
基地局ＢＳ−Ａは、そのＣＳＧ  ＩＤをスーパーフレーム・ヘッダに含ませて送信してもよいし、又は、制御メッセージによってそのＣＳＧ  ＩＤを送信してよく、この制御メッセージは、ユーザー専有制御メッセージ、非ユーザー専有制御メッセージ又は媒体アクセス層メッセージ（ＭＡＣ  Ｍｅｓｓａｇｅ：Ｍｅｄｉｕｍ  Ａｃｃｅｓｓ  Ｃｏｎｔｒｏｌ）であることができるが、媒体アクセス層メッセージであることが好ましい。
【００９３】
又、基地局ＢＳ−Ａは、シグナルを送信することによって、現在のスーパーフレーム、フレーム又はサブフレームには基地局のＣＳＧ  ＩＤ情報が乗せられているかどうかを指示できる。好ましくは、このシグナルは、スーパーフレーム・ヘッダにおいて送信されることができるが、制御メッセージにおいて送信されてもよい。この制御メッセージは、ユーザー専有制御メッセージ、非ユーザー専有制御メッセージ又は媒体アクセス層メッセージ（ＭＡＣ  Ｍｅｓｓａｇｅ：Ｍｅｄｉｕｍ  Ａｃｃｅｓｓ  Ｃｏｎｔｒｏｌ）などの制御メッセージであることができる。
【００９４】
実施例４
ＩＥＥＥ  ８０２．１６規格を例として、搬送周波数パーティションは、若干のサブパーティションに分けられ、その一つの搬送周波数サブパーティションは、基地局がＣＳＧ  ＩＤを有することを指示することに用いられる。仮に基地局ＢＳ−ＡがＣＳＧ  ＩＤを有するとしたら、このサブパーティションにおける搬送周波数においてデータ及び／又はシグナルを送信する。ここで、ＣＳＧ  ＩＤがあるかどうかを指示する指示情報と、搬送周波数のマッピング関係は、規格によりデフォルト配置され、且つ／又は、基地局からシグナルによって端末へ通知されることができる。
【００９５】
端末は、基地局と情報の遣り取りを行う場合、基地局ＢＳ−Ａの現在使用している搬送周波数が前記サブパーティションに含まれることを知って、そして、前記マッピング関係によって、基地局ＢＳ−ＡがＣＳＧ  ＩＤを有することが分かる。
【００９６】
仮に次のプロセスにおいて基地局ＢＳ−ＡのＢＳ−ＩＤが先に取得され、基地局のＣＳＧ  ＩＤが後で取得されるとしたら、端末は、先にＢＳ  ＩＤを自分のローカルのアクセス・リストに比べることによって、自分からのアクセスが基地局ＢＳ−Ａに許可されるかどうかを判断し、許可されないと、更に、ＣＳＧ  ＩＤを自分のローカルのアクセス・リストに比べることによって、自分からのアクセスが基地局ＢＳ−Ａに許可されるかどうかを判断し、許可されないと、この基地局を自分のアクセス基地局（サービス基地局）としない。
【００９７】
仮に次のプロセスにおいて、基地局ＢＳ−ＡのＣＳＧ  ＩＤが先に取得され、基地局のＢＳ  ＩＤが後で取得されるとしたら、端末は、先にＣＳＧ  ＩＤを自分のローカルのアクセス・リストに比べることによって、自分からのアクセスが基地局ＢＳ−Ａに許可されるかどうかを判断し、許可されないと、更に、ＢＳ  ＩＤを自分のローカルのアクセス・リストに比べることによって、自分からのアクセスが基地局ＢＳ−Ａに許可されるかどうかを判断し、許可されないと、この基地局を自分のアクセス基地局（サービス基地局）としない。
【００９８】
仮に次のプロセスにおいて、基地局ＢＳ−ＡのＣＳＧ  ＩＤとＢＳ  ＩＤが同時に取得されるとしたら、端末は、先にＣＳＧ  ＩＤを自分のローカルのアクセス・リストに比べることによって、自分からのアクセスが基地局ＢＳ−Ａに許可されるかどうかを判断してもよい。許可されないと、更に、ＢＳ  ＩＤを自分のローカルのアクセス・リストに比べることによって、自分からのアクセスが基地局ＢＳ−Ａに許可されるかどうかを判断し、許可されないと、この基地局を自分のアクセス基地局（サービス基地局）としない。或いは、先にＢＳ  ＩＤを自分のローカルのアクセス・リストに比べることによって、自分からのアクセスが基地局ＢＳ−Ａに許可されるかどうかを判断してもよく、許可されないと、更に、ＣＳＧ  ＩＤを自分のローカルのアクセス・リストに比べることによって、自分からのアクセスが基地局ＢＳ−Ａに許可されるかどうかを判断し、許可されないと、この基地局を自分のアクセス基地局（サービス基地局）としない。或いは、同時にＢＳ  ＩＤとＣＳＧ  ＩＤを自分のローカルのアクセス・リストに比べることによって判断してもよく、両者のいずれかが端末のローカルのアクセス・リストの内容に対応する場合、端末からのアクセスが基地局ＢＳ−Ａに許可され、対応しない場合、端末からのアクセスが許可されない。
【００９９】
基地局ＢＳ−Ａは、マクロ基地局、マイクロ基地局、ピコ基地局又はフェムト基地局であることができるが、ＣＳＧ型（ＣＳＧ−ＣｌｏｓｅｄとＣＳＧ−Ｏｐｅｎとを含む）フェムト基地局であることが好ましく、ＣＳＧ−Ｃｌｏｓｅｄ型フェムト基地局であることがより好ましい。
【０１００】
基地局ＢＳ−Ａは、そのＣＳＧ  ＩＤをスーパーフレーム・ヘッダに含ませて送信してもよいし、又は、制御メッセージによってそのＣＳＧ  ＩＤを送信してよく、この制御メッセージは、ユーザー専有制御メッセージ、非ユーザー専有制御メッセージ又は媒体アクセス層メッセージ（ＭＡＣ  Ｍｅｓｓａｇｅ：Ｍｅｄｉｕｍ  Ａｃｃｅｓｓ  Ｃｏｎｔｒｏｌ）であることができるが、媒体アクセス層メッセージであることが好ましい。
【０１０１】
又、基地局ＢＳ−Ａは、シグナルを送信することによって、現在のスーパーフレーム、フレーム又はサブフレームには基地局のＣＳＧ  ＩＤ情報が乗せられているかどうかを指示できる。好ましくは、このシグナルは、スーパーフレーム・ヘッダにおいて送信されることができるが、制御メッセージにおいて送信されてもよい。この制御メッセージは、ユーザー専有制御メッセージ、非ユーザー専有制御メッセージ又は媒体アクセス層メッセージ（ＭＡＣ  Ｍｅｓｓａｇｅ：Ｍｅｄｉｕｍ  Ａｃｃｅｓｓ  Ｃｏｎｔｒｏｌ）などの制御メッセージであることができる。
【０１０２】
実施例５
ＩＥＥＥ  ８０２．１６規格を例として、セル識別子（Ｃｅｌｌ  ＩＤ）は、若干のサブパーティションに分けられ、その一つのサブパーティションは、基地局がＣＳＧ  ＩＤを有することを指示することに用いられる。仮に基地局ＢＳ−ＡがＣＳＧ  ＩＤを有するとしたら、基地局ＢＳ−Ａのセル識別子は、このサブパーティションに含まれる。ここで、ＣＳＧ  ＩＤがあるかどうかを指示する指示情報とセル識別子のマッピング関係は、規格によりデフォルト配置され、且つ／又は、基地局（この基地局がＢＳ−Ａである可能性があるし、他の基地局又はエレメントである可能性もある）からシグナル（例えば、セカンダリ・スーパーフレーム・ヘッダＳ−ＳＦＨ  ＩＥ  ＳＰ３及び／又はＡＡＩ＿ＳＣＤにおいてメッセージをブロード・キャストする）によって端末へ通知されることができる。
【０１０３】
端末は、基地局ＢＳ−Ａのセル識別子を取得し、前記マッピング関係によって、基地局ＢＳ−ＡがＣＳＧ  ＩＤがあるかどうかが分かる。
【０１０４】
仮に次のプロセスにおいて基地局ＢＳ−ＡのＢＳ−ＩＤが先に取得され、基地局のＣＳＧ  ＩＤが後で取得されるとしたら、端末は、先にＢＳ  ＩＤを自分のローカルのアクセス・リストに比べることによって、自分からのアクセスが基地局ＢＳ−Ａに許可されるかどうかを判断し、許可されないと、更に、ＣＳＧ  ＩＤを自分のローカルのアクセス・リストに比べることによって、自分からのアクセスが基地局ＢＳ−Ａに許可されるかどうかを判断し、許可されないと、この基地局を自分のアクセス基地局（サービス基地局）としない。
【０１０５】
仮に次のプロセスにおいて、基地局ＢＳ−ＡのＣＳＧ  ＩＤが先に取得され、基地局のＢＳ  ＩＤが後で取得されるとしたら、端末は、先にＣＳＧ  ＩＤを自分のローカルのアクセス・リストに比べることによって、自分からのアクセスが基地局ＢＳ−Ａに許可されるかどうかを判断し、許可されないと、更に、ＢＳ  ＩＤを自分のローカルのアクセス・リストに比べることによって、自分からのアクセスが基地局ＢＳ−Ａに許可されるかどうかを判断し、許可されないと、この基地局を自分のアクセス基地局（サービス基地局）としない。
【０１０６】
仮に次のプロセスにおいて、基地局ＢＳ−ＡのＣＳＧ  ＩＤとＢＳ  ＩＤが同時に取得されるとしたら、端末は、先にＣＳＧ  ＩＤを自分のローカルのアクセス・リストに比べることによって、自分からのアクセスが基地局ＢＳ−Ａに許可されるかどうかを判断してもよい。許可されないと、更に、ＢＳ  ＩＤを自分のローカルのアクセス・リストに比べることによって、自分からのアクセスが基地局ＢＳ−Ａに許可されるかどうかを判断し、許可されないと、この基地局を自分のアクセス基地局（サービス基地局）としない。或いは、先にＢＳ  ＩＤを自分のローカルのアクセス・リストに比べることによって、自分からのアクセスが基地局ＢＳ−Ａに許可されるかどうかを判断してもよく、許可されないと、更に、ＣＳＧ  ＩＤを自分のローカルのアクセス・リストに比べることによって、自分からのアクセスが基地局ＢＳ−Ａに許可されるかどうかを判断し、許可されないと、この基地局を自分のアクセス基地局（サービス基地局）としない。或いは、同時にＢＳ  ＩＤとＣＳＧ  ＩＤを自分のローカルのアクセス・リストに比べることによって判断してもよく、両者のいずれかが端末のローカルのアクセス・リストの内容に対応する場合、端末からのアクセスが基地局ＢＳ−Ａに許可され、対応しない場合、端末からのアクセスが許可されない。
【０１０７】
基地局ＢＳ−Ａは、マクロ基地局、マイクロ基地局、ピコ基地局又はフェムト基地局であることができるが、ＣＳＧ型（ＣＳＧ−ＣｌｏｓｅｄとＣＳＧ−Ｏｐｅｎとを含む）フェムト基地局であることが好ましく、ＣＳＧ−Ｃｌｏｓｅｄ型フェムト基地局であることがより好ましい。
【０１０８】
基地局ＢＳ−Ａは、そのＣＳＧ  ＩＤをスーパーフレーム・ヘッダに含ませて送信してもよいし、又は、制御メッセージによってそのＣＳＧ  ＩＤを送信してよく、この制御メッセージは、ユーザー専有制御メッセージ、非ユーザー専有制御メッセージ又は媒体アクセス層メッセージ（ＭＡＣ  Ｍｅｓｓａｇｅ：Ｍｅｄｉｕｍ  Ａｃｃｅｓｓ  Ｃｏｎｔｒｏｌ）であることができるが、媒体アクセス層メッセージであることが好ましい。
【０１０９】
又、基地局ＢＳ−Ａは、シグナルを送信することによって、現在のスーパーフレーム、フレーム又はサブフレームには基地局のＣＳＧ  ＩＤ情報が乗せられているかどうかを指示できる。好ましくは、このシグナルは、スーパーフレーム・ヘッダにおいて送信されることができるが、制御メッセージにおいて送信されてもよい。この制御メッセージは、ユーザー専有制御メッセージ、非ユーザー専有制御メッセージ又は媒体アクセス層メッセージ（ＭＡＣ  Ｍｅｓｓａｇｅ：Ｍｅｄｉｕｍ  Ａｃｃｅｓｓ  Ｃｏｎｔｒｏｌ）などの制御メッセージであることができる。
【０１１０】
実施例６
ＩＥＥＥ  ８０２．１６規格を例として、基地局ＢＳ−Ａは、制御シグナルによって自分がＣＳＧ  ＩＤがあるかどうかを指示する指示情報を送信し、この指示情報によって、この基地局がＣＳＧ  ＩＤがあるかどうかを端末に指示する。ここで、指示情報は、制御シグナルにおける一つのフィールドであってよく、一つのビット（その数値が０又は１であってよく、ＣＳＧ  ＩＤを有することを表すための数値を予め指定してよい）であることが好ましく、前記制御シグナルは、スーパーフレーム・ヘッダ（例えば、セカンダリ・スーパーフレーム・ヘッダ）又は媒体アクセス制御メッセージであることが好ましい。
【０１１１】
端末は、基地局ＢＳ−Ａの送信した前記制御シグナルを受信した後、指示情報によって基地局ＢＳ−ＡがＣＳＧ  ＩＤがあるかどうかを判断する。
【０１１２】
仮に基地局ＢＳ−ＡがＣＳＧ  ＩＤを有し、且つ端末が次のプロセスにおいて基地局ＢＳ−ＡのＢＳ−ＩＤを先に取得し、基地局のＣＳＧ  ＩＤを後で取得した場合、端末は、先にＢＳ  ＩＤを自分のローカルのアクセス・リストに比べることによって、自分からのアクセスが基地局ＢＳ−Ａに許可されるかどうかを判断し、許可されないと、更に、ＣＳＧ  ＩＤを自分のローカルのアクセス・リストに比べることによって、自分からのアクセスが基地局ＢＳ−Ａに許可されるかどうかを判断し、許可されないと、この基地局を自分のアクセス基地局（サービス基地局）としない。
【０１１３】
仮に基地局ＢＳ−ＡがＣＳＧ  ＩＤを有し、且つ端末が次のプロセスにおいて、基地局ＢＳ−ＡのＣＳＧ  ＩＤを先に取得し、基地局のＢＳ  ＩＤを後で取得した場合、端末は、先にＣＳＧ  ＩＤを自分のローカルのアクセス・リストに比べることによって、自分からのアクセスが基地局ＢＳ−Ａに許可されるかどうかを判断し、許可されないと、更に、ＢＳ  ＩＤを自分のローカルのアクセス・リストに比べることによって、自分からのアクセスが基地局ＢＳ−Ａに許可されるかどうかを判断し、許可されないと、この基地局を自分のアクセス基地局（サービス基地局）としない。
【０１１４】
仮に基地局ＢＳ−ＡがＣＳＧ  ＩＤを有し、且つ端末が次のプロセスにおいて、基地局ＢＳ−ＡのＣＳＧ  ＩＤとＢＳ  ＩＤを同時に取得した場合、端末は、先にＣＳＧ  ＩＤを自分のローカルのアクセス・リストに比べることによって、自分からのアクセスが基地局ＢＳ−Ａに許可されるかどうかを判断してもよい。許可されないと、更に、ＢＳ  ＩＤを自分のローカルのアクセス・リストに比べることによって、自分からのアクセスが基地局ＢＳ−Ａに許可されるかどうかを判断し、許可されないと、この基地局を自分のアクセス基地局（サービス基地局）としない。或いは、先にＢＳ  ＩＤを自分のローカルのアクセス・リストに比べることによって、自分からのアクセスが基地局ＢＳ−Ａに許可されるかどうかを判断してもよく、許可されないと、更に、ＣＳＧ  ＩＤを自分のローカルのアクセス・リストに比べることによって、自分からのアクセスが基地局ＢＳ−Ａに許可されるかどうかを判断し、許可されないと、この基地局を自分のアクセス基地局（サービス基地局）としない。或いは、同時にＢＳ  ＩＤとＣＳＧ  ＩＤを自分のローカルのアクセス・リストに比べることによって判断してもよく、両者のいずれかが端末のローカルのアクセス・リストの内容に対応する場合、端末からのアクセスが基地局ＢＳ−Ａに許可され、対応しない場合、端末からのアクセスが許可されない。
【０１１５】
基地局ＢＳ−Ａは、マクロ基地局、マイクロ基地局、ピコ基地局又はフェムト基地局であることができるが、ＣＳＧ型（ＣＳＧ−ＣｌｏｓｅｄとＣＳＧ−Ｏｐｅｎとを含む）フェムト基地局であることが好ましく、ＣＳＧ−Ｃｌｏｓｅｄ型フェムト基地局であることがより好ましい。
【０１１６】
基地局ＢＳ−Ａは、そのＣＳＧ  ＩＤをスーパーフレーム・ヘッダに含ませて送信してもよいし、又は、制御メッセージによってそのＣＳＧ  ＩＤを送信してよく、この制御メッセージは、ユーザー専有制御メッセージ、非ユーザー専有制御メッセージ又は媒体アクセス層メッセージ（ＭＡＣ  Ｍｅｓｓａｇｅ：Ｍｅｄｉｕｍ  Ａｃｃｅｓｓ  Ｃｏｎｔｒｏｌ）であることができるが、媒体アクセス層メッセージであることが好ましい。
【０１１７】
又、基地局ＢＳ−Ａは、シグナルを送信することによって、現在のスーパーフレーム、フレーム又はサブフレームには基地局のＣＳＧ  ＩＤ情報が乗せられているかどうかを指示できる。好ましくは、このシグナルは、スーパーフレーム・ヘッダにおいて送信されることができるが、制御メッセージにおいて送信されてもよい。この制御メッセージは、ユーザー専有制御メッセージ、非ユーザー専有制御メッセージ又は媒体アクセス層メッセージ（ＭＡＣ  Ｍｅｓｓａｇｅ：Ｍｅｄｉｕｍ  Ａｃｃｅｓｓ  Ｃｏｎｔｒｏｌ）などの制御メッセージであることができる。
【０１１８】
前記実施例１〜実施例６において本発明の実施例によるＣＳＧ  ＩＤ指示方法を説明し、前記実施例１〜実施例６では、仮に基地局ＢＳ−Ａが自分がＣＳＧ  ＩＤを有しないことを指示するとしたら、端末は、次に基地局ＢＳ−ＡのＢＳ  ＩＤを、自分のローカル的にメンテナンスされているアクセス・リストに比べることによって、自分からのアクセスが許可される基地局であるかどうかを判断する。
【０１１９】
前記実施例１〜実施例６において、仮に基地局ＢＳ−Ａが自分がＣＳＧ  ＩＤを有することを指示するとしたら、端末は、次に基地局ＢＳ−ＡのＣＳＧ  ＩＤを、自分のローカルでメンテナンスするアクセス・リストに比べることによって、自分からのアクセスが許可される基地局であるかどうかを判断することについて、ここでは、詳しい説明を略す。
【０１２０】
前記実施例１〜実施例６において、ＣＳＧ  ＩＤがあるかどうかを指示する指示情報とシステム・パラメータ情報（前記同期シーケンスと、搬送周波数と、セル識別子を含む）のマッピング関係を通知する主体は、有線接続又は無線接続の方式によって関連マッピング関係を端末へ通知する、アクセス・サービス・ネットワーク・エレメント、接続サービス・ネットワーク・エレメント、特定のシステム装置（例えば、コンピュータ、サーバー、カード読取／書込装置）又は他のエレメントであってよい。
【０１２１】
以下、実施例７〜実施例１０によって本発明の実施例によるＣＳＧ  ＩＤ指示とシステム・パラメータ情報のマッピング関係の通知方法を説明する。
【０１２２】
実施例７
システムは、制御シグナルによって、ＣＳＧ  ＩＤがあるかどうかを指示する指示情報と、ネットワークにおけるプライマリ同期シーケンスの全部又は一部のマッピング関係を端末へ通知する。仮にシステムがプライマリ同期シーケンスをＭ個有し、ただし、Ｎ個のプライマリ同期シーケンス（Ｎ≦Ｍ）が基地局がＣＳＧ  ＩＤを有することを指示することに用いられる可能だったとしたら、システムは、制御シグナルによって、プライマリ同期シーケンスとＣＳＧ  ＩＤ指示情報との対応関係を端末へ通知することができる。
【０１２３】
端末は、前記マッピング関係を受信した後、マッピング関係、及び基地局の現在送信しているプライマリ同期シーケンス（即ち、プライマリ同期チャネルにおいて送信される同期シーケンス）によって、基地局がＣＳＧ  ＩＤがあるかどうかを判断できる。例えば、基地局ＢＳ−ＡがＣＳＧ  ＩＤを有する場合、それのプライマリ同期チャネルにおいて送信されるプライマリ同期シーケンスは必ず前記Ｎ個のプライマリ同期シーケンスの一つであり、端末が基地局ＢＳ−Ａのプライマリ同期シーケンスを受信した後、このプライマリ同期シーケンスが前記Ｎ個のプライマリ同期シーケンスの一つであることを見出すことにより、基地局ＢＳ−ＡがＣＳＧ  ＩＤを有することが分かる。
【０１２４】
前記システムは、有線接続又は無線接続の方式によって関連マッピング関係を端末へ通知する基地局、アクセス・サービス・ネットワーク・エレメント、接続サービス・ネットワーク・エレメント、又は特定のシステム装置（例えば、コンピュータ、サーバー、カード読取／書込装置）であってよい。
【０１２５】
前記マッピング関係は、プライマリ同期シーケンス及びセカンダリ同期シーケンスから構成されるシーケンス・パーティションにおけるシーケンスの全部又は一部と、指示情報のマッピング関係であってもよく、基地局の使用するプライマリ同期シーケンス及びセカンダリ同期シーケンスが同時に、基地局がＣＳＧ  ＩＤを有することを指示するシーケンス・パーティションに含まれる場合、この基地局がＣＳＧ  ＩＤを有することを指示し、同時に含まれない場合、この基地局がＣＳＧ  ＩＤを有しないことを指示する。
【０１２６】
基地局ＢＳ−Ａは、マクロ基地局、マイクロ基地局、ピコ基地局又はフェムト基地局であることができるが、ＣＳＧ型（ＣＳＧ−ＣｌｏｓｅｄとＣＳＧ−Ｏｐｅｎとを含む）フェムト基地局であることが好ましく、ＣＳＧ−Ｃｌｏｓｅｄ型フェムト基地局であることがより好ましい。
【０１２７】
実施例８
システムは、制御シグナルによって、ＣＳＧ  ＩＤがあるかどうかを指示する指示情報と、セカンダリ同期シーケンスの全部又は一部のマッピング関係を端末へ通知する。仮にシステムがセカンダリ同期シーケンスをＭ個有し、ただし、Ｎ個のセカンダリ同期シーケンス（Ｎ≦Ｍ）が基地局がＣＳＧ  ＩＤを有することを指示することに用いられる可能だったとしたら、システムは、制御シグナルによって、セカンダリ同期シーケンスとＣＳＧ  ＩＤ指示情報との対応関係を端末へ通知することができる。
【０１２８】
端末は、前記マッピング関係を受信した後、マッピング関係、及び基地局の現在送信しているセカンダリ同期シーケンス（即ち、セカンダリ同期チャネルにおいて送信される同期シーケンス）によって、基地局がＣＳＧ  ＩＤがあるかどうかを判断できる。例えば、基地局ＢＳ−ＡがＣＳＧ  ＩＤを有する場合、それのセカンダリ同期チャネルにおいて送信するセカンダリ同期シーケンスは必ず前記Ｎ個のセカンダリ同期シーケンスの一つであり、端末が基地局ＢＳ−Ａのセカンダリ同期シーケンスを受信した後、このセカンダリシーケンスが前記Ｎ個のセカンダリ同期シーケンスの一つであることを見出すことにより、基地局ＢＳ−ＡがＣＳＧ  ＩＤを有することが分かる。
【０１２９】
前記システムは、有線接続又は無線接続の方式によって関連マッピング関係を端末へ通知する基地局、アクセス・サービス・ネットワーク・エレメント、接続サービス・ネットワーク・エレメント、又は特定のシステム装置（例えば、コンピュータ、サーバー、カード読取／書込装置）であってよい。
【０１３０】
前記マッピング関係は、プライマリ同期シーケンス及びセカンダリ同期シーケンスから構成されるシーケンス・パーティションにおけるシーケンスの全部又は一部と、指示情報のマッピング関係であってもよく、基地局の使用するプライマリ同期シーケンス及びセカンダリ同期シーケンスが同時に、基地局がＣＳＧ  ＩＤを有することを指示するシーケンス・パーティションに含まれる場合、この基地局がＣＳＧ  ＩＤを有することを指示し、同時に含まれない場合、この基地局がＣＳＧ  ＩＤを有しないことを指示する。
【０１３１】
基地局ＢＳ−Ａは、マクロ基地局、マイクロ基地局、ピコ基地局又はフェムト基地局であることができるが、ＣＳＧ型（ＣＳＧ−ＣｌｏｓｅｄとＣＳＧ−Ｏｐｅｎとを含む）フェムト基地局であることが好ましく、ＣＳＧ−Ｃｌｏｓｅｄ型フェムト基地局であることがより好ましい。
【０１３２】
実施例９
システムは、制御シグナルによって、ＣＳＧ  ＩＤ指示情報と、システムにおけるセル識別子（Ｃｅｌｌ  ＩＤ）の全部又は一部のマッピング関係を端末へ通知する。仮にシステムがセル識別子をＭ個有し、ただし、Ｎ個のセル識別子（Ｎ≦Ｍ）が基地局がＣＳＧ  ＩＤを有することを指示することに用いられる可能だったとしたら、システムは、制御シグナルによって、セル識別子とＣＳＧ  ＩＤ指示情報との対応関係を端末へ通知することができる。
【０１３３】
端末は、前記マッピング関係を受信した後、マッピング関係、及び基地局の現在のセル識別子によって、基地局がＣＳＧ  ＩＤがあるかどうかを判断できる。例えば、基地局ＢＳ−ＡがＣＳＧ  ＩＤを有する場合、そのセル識別子は必ず前記Ｎ個のセル識別子の一つであり、端末が基地局ＢＳ−Ａのセル識別子を受信した後、このセル識別子が前記Ｎ個のセル識別子の一つであることを見出すことにより、基地局ＢＳ−ＡがＣＳＧ  ＩＤを有することが分かる。
【０１３４】
前記システムは、有線接続又は無線接続の方式によって関連マッピング関係を端末へ通知する基地局、アクセス・サービス・ネットワーク・エレメント、接続サービス・ネットワーク・エレメント、又は特定のシステム装置（例えば、コンピュータ、サーバー、カード読取／書込装置）であってよい。
【０１３５】
基地局ＢＳ−Ａは、マクロ基地局、マイクロ基地局、ピコ基地局又はフェムト基地局であることができるが、ＣＳＧ型（ＣＳＧ−ＣｌｏｓｅｄとＣＳＧ−Ｏｐｅｎとを含む）フェムト基地局であることが好ましく、ＣＳＧ−Ｃｌｏｓｅｄ型フェムト基地局であることがより好ましい。
【０１３６】
実施例１０
システムは、制御シグナルによって、ＣＳＧ  ＩＤ指示情報と、搬送周波数の全部又は一部のマッピング関係を端末へ通知する。例えば、システムが搬送周波数をＭ個有し、ただし、Ｎ個の搬送周波数（Ｎ≦Ｍ）が基地局がＣＳＧ  ＩＤを有することを指示することに用いられる可能であると、システムは、制御シグナルによって、搬送周波数とＣＳＧ  ＩＤ指示情報との対応関係を端末へ通知することができる。
【０１３７】
端末は、前記マッピング関係を受信した後、マッピング関係、及び基地局の現在使用している搬送周波数によって、基地局がＣＳＧ  ＩＤがあるかどうかを判断する。例えば、基地局ＢＳ−ＡがＣＳＧ  ＩＤを有する場合、それの使用する搬送周波数は必ず前記Ｎ個のセル識別子中の一つを含むので、端末が基地局ＢＳ−Ａの使用する搬送周波数を受信した後、この搬送周波数が前記Ｎ個の搬送周波数の一つであることを見出すことにより、基地局ＢＳ−ＡがＣＳＧ  ＩＤを有することが分かる。
【０１３８】
前記システムは、有線接続又は無線接続の方式によって関連マッピング関係を端末へ通知する基地局、アクセス・サービス・ネットワーク・エレメント、接続サービス・ネットワーク・エレメント又は特定のシステム装置（例えば、コンピュータ、サーバー、カード読取／書込装置）であってよい。
【０１３９】
基地局ＢＳ−Ａは、マクロ基地局、マイクロ基地局、ピコ基地局又はフェムト基地局であることができるが、ＣＳＧ型（ＣＳＧ−ＣｌｏｓｅｄとＣＳＧ−Ｏｐｅｎとを含む）フェムト基地局であることが好ましく、ＣＳＧ−Ｃｌｏｓｅｄ型フェムト基地局であることがより好ましい。
【０１４０】
以下、実施例１１〜実施例１４によって本発明の実施例に関わるＣＳＧ  ＩＤ指示の取得方法を説明する。
【０１４１】
実施例１１
基地局がＣＳＧ  ＩＤがあるかどうかを指示する情報がプライマリ同期シーケンスとマッピング関係を持ち、仮に基地局ＢＳ−ＡがＣＳＧ  ＩＤを有するとしたら、基地局ＢＳ−Ａは、プライマリ同期チャネルにおいて、自分がＣＳＧ  ＩＤ情報を有することを指示可能なプライマリ同期シーケンスを送信する。
【０１４２】
端末は、基地局ＢＳ−Ａの送信したプライマリ同期シーケンスを受信した後、基地局ＢＳ−ＡがＣＳＧ  ＩＤを有することを見出し、そして、図４に示すように、自分のアクセル・リストを基地局ＢＳ−ＡのＣＳＧ  ＩＤ又はＢＳ  ＩＤに比べ、両者のいずれかがアクセス・リストと対応する関係があると、基地局ＢＳ−Ａが自分からのアクセスを許可する基地局であると判断し、対応関係を持たないと、基地局が自分からのアクセスを許可しない基地局であると判断する。
【０１４３】
基地局ＢＳ−Ａは、マクロ基地局、マイクロ基地局、ピコ基地局又はフェムト基地局であり、ＣＳＧ−Ｃｌｏｓｅｄ型又はＣＳＧ型（ＣＳＧ−ＣｌｏｓｅｄとＣＳＧ−Ｏｐｅｎとを含む）フェムト基地局であることが好ましい。
【０１４４】
実施例１２
基地局がＣＳＧ  ＩＤがあるかどうかを指示する情報がセカンダリ同期シーケンスとマッピング関係を持ち、仮に基地局ＢＳ−ＡがＣＳＧ  ＩＤを有するとしたら、基地局ＢＳ−Ａは、セカンダリ同期チャネルにおいて、自分がＣＳＧ  ＩＤ情報を有することを指示可能なセカンダリ同期シーケンスを送信する。
【０１４５】
端末は、基地局ＢＳ−Ａの送信したセカンダリ同期シーケンスを取得した後、基地局ＢＳ−ＡがＣＳＧ  ＩＤを有することを見出し、そして、図５に示すように、自分のアクセル・リストを基地局ＢＳ−ＡのＣＳＧ  ＩＤ又はＢＳ  ＩＤに比べ、両者のいずれかがアクセス・リストと対応する関係があると、基地局ＢＳ−Ａが自分からのアクセスを許可する基地局であると判断し、対応関係を持たないと、基地局が自分からのアクセスを許可しない基地局であると判断する。
【０１４６】
基地局ＢＳ−Ａは、マクロ基地局、マイクロ基地局、ピコ基地局又はフェムト基地局であり、ＣＳＧ−Ｃｌｏｓｅｄ型又はＣＳＧ型（ＣＳＧ−ＣｌｏｓｅｄとＣＳＧ−Ｏｐｅｎとを含む）フェムト基地局であることが好ましい。
【０１４７】
実施例１３
基地局がＣＳＧ  ＩＤがあるかどうかを指示する情報がセル識別子とマッピング関係を持ち、仮に基地局ＢＳ−ＡがＣＳＧ  ＩＤを有するとしたら、基地局ＢＳＡは、自分がＣＳＧ  ＩＤ情報を有することを指示可能なセル識別子を使用する。
【０１４８】
端末は、基地局ＢＳ−Ａのセル識別子を取得した後、基地局ＢＳ−ＡがＣＳＧ  ＩＤを有することを見出し、そして、図６に示すように、自分のアクセル・リストを基地局ＢＳ−ＡのＣＳＧ  ＩＤ又はＢＳ  ＩＤに比べ、両者のいずれかがアクセス・リストと対応する関係があると、基地局ＢＳ−Ａが自分からのアクセスを許可する基地局であると判断し、対応関係を持たないと、基地局が自分からのアクセスを許可しない基地局であると判断する。
【０１４９】
基地局ＢＳ−Ａは、マクロ基地局、マイクロ基地局、ピコ基地局又はフェムト基地局であり、ＣＳＧ−Ｃｌｏｓｅｄ型又はＣＳＧ型（ＣＳＧ−ＣｌｏｓｅｄとＣＳＧ−Ｏｐｅｎとを含む）フェムト基地局であることが好ましい。
【０１５０】
実施例１４
基地局がＣＳＧ  ＩＤがあるかどうかを指示する情報が搬送周波数と、マッピング関係を持ち、仮に基地局ＢＳ−ＡがＣＳＧ  ＩＤを有するとしたら、基地局ＢＳ−Ａは、自分がＣＳＧ  ＩＤ情報を有することを指示可能な搬送周波数を使用してシグナル及び／又はデータを送信する。
【０１５１】
端末は、基地局ＢＳ−Ａの使用する搬送周波数を取得した後、基地局ＢＳ−ＡがＣＳＧ  ＩＤを有することを見出し、そして、図７に示すように、自分のアクセル・リストを基地局ＢＳ−ＡのＣＳＧ  ＩＤ又はＢＳ  ＩＤに比べ、両者のいずれかがアクセス・リストと対応する関係があると、基地局ＢＳ−Ａが自分からのアクセスを許可する基地局であると判断し、対応関係を持たないと、基地局が自分からのアクセスを許可しない基地局であると判断する。
【０１５２】
基地局ＢＳ−Ａは、マクロ基地局、マイクロ基地局、ピコ基地局又はフェムト基地局であり、ＣＳＧ−Ｃｌｏｓｅｄ型又はＣＳＧ型（ＣＳＧ−ＣｌｏｓｅｄとＣＳＧ−Ｏｐｅｎとを含む）のフェムト基地局であることが好ましい。
【０１５３】
実施例１１〜実施例１４において、仮に基地局ＢＳ−Ａが指示情報によって自分がＣＳＧ  ＩＤを有することを指示するとしたら、端末は、次に基地局ＢＳ−ＡのＣＳＧ  ＩＤを自分のローカルにおいてメンテナンスされているアクセス・リストに比べることによって、自分からのアクセスが基地局ＢＳ−Ａに許可される基地局であるかどうかを判断するが、ここでは、詳しい説明を略す。
【０１５４】
前記実施例１１〜実施例１４において、端末がＣＳＧ  ＩＤ又はＢＳ  ＩＤによって同じ端末からのアクセスが前記基地局に許可されるかどうかを判断することは、端末が基地局にアクセスできるかどうかを判断する条件の一つのみであり、この基地局が他のシグナル（例えば、セカンダリ・スーパーフレーム・ヘッダにおけるＣｅｌｌ  Ｂａｒフィールド）によってどの端末からのアクセス又は再入も現在許可されないことを通知すると、端末は、この基地局にアクセスしてはいけない。同様に、この基地局のＣｅｌｌ  ＩＤも端末がこの基地局にアクセスできるかどうかを判断する条件の一つである。
【０１５５】
本発明の実施例によると、基地局タイプの指示方法を提供する。
【０１５６】
ＣＳＧ  ＩＤを有するフェムト基地局が、複数のフェムトが一つのＣＳＧを共有することを意味するため、このような基地局は、マルチセル・フェムト基地局（Ｍｕｌｔｉ−ｃｅｌｌ  Ｆｅｍｔｏ  ＢＳ）と称されてよく、且つ、このような基地局は、主に企業に求められるため、企業型フェムト基地局（Ｅｎｔｅｒｐｒｉｓｅ  Ｆｅｍｔｏ  ＢＳ）と称されてもよく、ＣＳＧ  ＩＤを有しない基地局が、単一のフェムト基地局が独立したＣＳＧを有することを意味するため、シングル・セル・フェムト基地局（Ｓｉｎｇｌｅ−Ｃｅｌｌ  Ｆｅｍｔｏ  ＢＳ）と称されてよく、このような基地局は、主に家庭又は個人に求められるため、家庭型フェムト基地局（Ｈｏｍｅ  Ｆｅｍｔｏ  ＢＳ）と称されてもよい。ＣＳＧ型フェムト基地局は、更に、ＣＳＧ−Ｃｌｏｓｅｄ企業型フェムト基地局と、ＣＳＧ−Ｏｐｅｎ企業型フェムト基地局と、ＣＳＧ−Ｃｌｏｓｅｄ家庭型フェムト基地局と、ＣＳＧ−Ｏｐｅｎ家庭型フェムト基地局に分けられる。
【０１５７】
フェムト基地局が企業型フェムト基地局である場合、一般に、ＣＳＧ  ＩＤ情報を端末へ送信する必要がある。
【０１５８】
本発明の実施例による基地局タイプの指示方法の模式図である図８に示すように、本発明の実施例において、基地局は、その基地局タイプを自発的に端末へ通知し、具体的には、使用するシステム・パラメータによって端末へ通知してもよいし、又は、端末へ指示情報を送信することによって端末へ通知してもよい。
【０１５９】
具体的な実施プロセスにおいて、前記基地局は、マクロ基地局、マイクロ基地局、ピコ基地局及びフェムト基地局を含むが、これらに限定されない。
【０１６０】
前記基地局が、フェムト基地局であることが好ましい。
【０１６１】
前記基地局が、ＣＳＧ型フェムト基地局であることがより好ましい。
【０１６２】
前記基地局が、企業型フェムト基地局又は家庭型フェムト基地局であることがより好ましい。
【０１６３】
具体的な実施プロセスにおいて、基地局が、その基地局タイプを端末へ通知する方式は、基地局が、予め設定されたパーティションにおける同期シーケンスを端末へ送信することによって、その基地局タイプを指示する方式１と、基地局が、予め設定されたセル識別子（Ｃｅｌｌ  ＩＤ）を使用することによって、その基地局タイプを端末へ通知する方式２と、基地局が、予め設定された搬送周波数を使用することによって、その基地局タイプを端末へ通知する方式３と、基地局が、その基地局タイプを指示する指示情報を端末へ送信することによって、その基地局タイプを端末へ通知する方式４と、を含むが、これらに限定されない。
【０１６４】
以下、前記４種類の方式のそれぞれについて説明する。
【０１６５】
方式１
基地局は、その基地局タイプを、特定のプライマリ同期シーケンス及び／又はセカンダリ同期シーケンスを送信することによって通知する。
【０１６６】
具体的には、同期シーケンスと基地局タイプとの対応関係を予め設定でき、即ち、プライマリ同期シーケンス・パーティション及び／又はセカンダリ同期シーケンス・パーティションを若干のサブパーティションに分けて、その全部又は一部のサブパーティションを、異なる基地局タイプを指示するためのものとして設定し、基地局は、プライマリ同期シーケンス及び／又はセカンダリ同期シーケンスを送信する場合、その基地局タイプによって、対応のプライマリ同期シーケンス又はセカンダリ同期シーケンスを端末へ送信する。
【０１６７】
具体的な適用において、基地局タイプを指示する指示情報と、プライマリ同期シーケンス及び／又はセカンダリ同期シーケンスの対応関係情報は、システムより端末へ通知されることができる。或いは、この対応関係は、基地局と端末の事前の約束、即ち規格によりデフォルト配置されてもよい。
【０１６８】
方式２
基地局が、その基地局タイプを、予め設定されたセル識別子を使用して端末へ通知する通知する。
【０１６９】
具体的には、セル識別子と基地局タイプとの対応関係を予め設定でき、即ち、セル識別子パーティションを若干のサブパーティションに分けて、その全部又は一部のサブパーティションを、異なる基地局タイプを指示するためのものとして設定し、基地局は、その基地局タイプによって、対応のサブパーティションにおけるセル識別子を使用する。
【０１７０】
具体的な適用において、基地局タイプを指示する指示情報と、セル識別子の対応関係を指示する情報は、システムより端末へ通知されることができる。或いは、この対応関係は、基地局と端末の事前の約束、即ち規格によりデフォルト配置されてもよい。
【０１７１】
方式３
基地局は、その基地局タイプを、予め設定された搬送周波数を使用して通知する。
【０１７２】
具体的には、搬送周波数と基地局タイプの対応関係を予め設定でき、つまり、搬送周波数パーティションを若干のサブパーティションに分けて、その全部又は一部のサブパーティションを、異なる基地局タイプを指示するためのものとして設定し、基地局は、その基地局タイプによって、対応のサブパーティションにおける搬送周波数を使用する。
【０１７３】
具体的な適用において、基地局タイプと搬送周波数の対応関係情報は、システムより端末へ通知されることができる。或いは、この対応関係は、基地局と端末の事前の約束、即ち規格によりデフォルト配置されてもよい。
【０１７４】
方式４
基地局は、基地局タイプ情報を含むシグナルを端末へ送信することによって、その基地局タイプを指示する。
【０１７５】
具体的な実施プロセスにおいて、前記制御シグナルを送信する方式は、ブロード・キャスト、マルチキャスト又はユニキャストを含むが、これらに限定されない。
【０１７６】
又、具体的な適用において、基地局は、前記基地局タイプ情報をスーパーフレーム・ヘッダ、ユーザー専有制御メッセージ、非ユーザー専有制御メッセージ又は媒体アクセス層制御メッセージ（ＭＡＣ  Ｃｏｎｔｒｏｌ  Ｍｅｓｓａｇｅ：Ｍｅｄｉｕｍ  Ａｃｃｅｓｓ  Ｃｏｎｔｒｏｌ、例えば、隣接セル・リスト・メッセージ（ＡＡＩ＿ＮＢＲ＿ＡＤＶ）、システム構成記述子メッセージ（ＡＡＩ＿Ｓｙｓｔｅｍ  Ｃｏｎｆｉｇｕｒａｔｉｏｎ  Ｄｅｓｃｒｉｐｔｏｒ（ＳＣＤ）Ｍｅｓｓａｇｅ）等）等の制御メッセージに含ませて送信できる。
【０１７７】
具体的な実施プロセスにおいて、端末は、基地局からの通知によって、その基地局タイプ情報を取得でき、この基地局が企業限定加入者グループフェムト基地局である場合、前記端末は、ＣＳＧ  ＩＤ及び／又はＢＳ  ＩＤによって該基地局にアクセスできるかどうかを判断し、前記フェムト基地局が家庭限定加入者グループフェムト基地局である場合、前記端末は、セル識別子及び／又はＢＳ  ＩＤによって該基地局にアクセスできるかどうかを判断する。
【０１７８】
以下、本発明の実施例による基地局タイプとシステム・パラメータ情報のマッピング関係の通知方法を説明する。
【０１７９】
実施例１５
ＩＥＥＥ  ８０２．１６規格を例として、プライマリ同期シーケンス・パーティションは、若干のサブパーティションに分けられ、その一部又は全部のサブパーティション（Ｐｒｉｍａｒｙ  Ｐｒｅａｍｂｌｅ  Ｓｅｑｕｅｎｃｅ  Ｓｕｂ−Ｐａｒｔｉｔｉｏｎ）は、特定の基地局タイプに対応する。仮に基地局ＢＳ−Ａが企業限定加入者グループフェムト基地局であるとしたら、基地局ＢＳ−Ａは、プライマリ同期チャネルにおいてこのサブパーティションにおけるプライマリ同期シーケンスを送信することで、その基地局タイプを端末へ通知する。ここで、基地局タイプとプライマリ同期シーケンスのマッピング関係は、規格によりデフォルト配置されてよく、且つ／又は、基地局（又はシステムのほかのエレメント、例としては、アクセス・サービス・ネットワーク・エレメント）からシグナルによって端末へ通知されてもよい。
【０１８０】
端末は、基地局ＢＳ−Ａの送信したプライマリ同期シーケンスを受信した後、前記マッピング関係によって、このプライマリ同期シーケンスが前記サブパーティションに属すると判断した場合、基地局ＢＳ−Ａの基地局タイプが分かり、且つこの基地局がＣＳＧ  ＩＤを有することが分かる。
【０１８１】
仮に次のプロセスにおいて基地局ＢＳ−ＡのＢＳ−ＩＤが先に取得され、基地局のＣＳＧ  ＩＤが後で取得されるとしたら、端末は、先にＢＳ  ＩＤを自分のローカルのアクセス・リストに比べる（即ち、このＢＳ  ＩＤが自分のローカルのアクセス・リストの内容と、対応する関係があるかどうかを判断し、つまり、このＢＳ  ＩＤによって該基地局がアクセス・リストに識別された基地局に含まれるかどうかを判断する）ことによって、自分からのアクセスが基地局ＢＳ−Ａに許可されるかどうかを判断し、許可されないと、更に、ＣＳＧ  ＩＤを自分のローカルのアクセス・リストに比べることによって、自分からのアクセスが基地局ＢＳ−Ａに許可されるかどうかを判断し、許可されないと、この基地局を自分のアクセス基地局（即ち、サービス基地局）としない。
【０１８２】
仮に次のプロセスにおいて、基地局ＢＳ−ＡのＣＳＧ  ＩＤが先に取得され、基地局のＢＳ  ＩＤが後で取得されるとしたら、端末は、先にＣＳＧ  ＩＤを自分のローカルのアクセス・リストに比べることによって、自分からのアクセスが基地局ＢＳ−Ａに許可されるかどうかを判断し、許可されないと、更に、ＢＳ  ＩＤを自分のローカルのアクセス・リストに比べることによって、自分からのアクセスが基地局ＢＳ−Ａに許可されるかどうかを判断し、許可されないと、この基地局を自分のアクセス基地局（サービス基地局）としない。
【０１８３】
仮に次のプロセスにおいて、基地局ＢＳ−ＡのＣＳＧ  ＩＤとＢＳ  ＩＤが同時に取得されるとしたら、端末は、先にＣＳＧ  ＩＤを自分のローカルのアクセス・リストに比べることによって、自分からのアクセスが基地局ＢＳ−Ａに許可されるかどうかを判断してもよい。許可されないと、更に、ＢＳ  ＩＤを自分のローカルのアクセス・リストに比べることによって、自分からのアクセスが基地局ＢＳ−Ａに許可されるかどうかを判断し、許可されないと、この基地局を自分のアクセス基地局（サービス基地局）としない。或いは、先にＢＳ  ＩＤを自分のローカルのアクセス・リストに比べることによって、自分からのアクセスが基地局ＢＳ−Ａに許可されるかどうかを判断してもよく、許可されないと、更に、ＣＳＧ  ＩＤを自分のローカルのアクセス・リストに比べることによって、自分からのアクセスが基地局ＢＳ−Ａに許可されるかどうかを判断し、許可されないと、この基地局を自分のアクセス基地局（サービス基地局）としない。或いは、同時にＢＳ  ＩＤとＣＳＧ  ＩＤを自分のローカルのアクセス・リストに比べることによって判断してもよく、両者のいずれかが端末のローカルのアクセス・リストの内容に対応する場合、端末からのアクセスが基地局ＢＳ−Ａに許可され、対応しない場合、端末からのアクセスが許可されない。
【０１８４】
基地局ＢＳ−Ａは、マクロ基地局、マイクロ基地局、ピコ基地局又はフェムト基地局であることができるが、ＣＳＧ型（ＣＳＧ−ＣｌｏｓｅｄとＣＳＧ−Ｏｐｅｎとを含む）フェムト基地局であることが好ましく、企業限定加入者グループフェムト基地局又は家庭限定加入者グループであることがより好ましい。
【０１８５】
基地局ＢＳ−Ａは、そのＣＳＧ  ＩＤをスーパーフレーム・ヘッダに含ませて送信してもよいし、制御メッセージによって送信してもよい。この制御メッセージは、ユーザー専有制御メッセージ、非ユーザー専有制御メッセージ又は媒体アクセス層メッセージ（ＭＡＣ  Ｍｅｓｓａｇｅ：Ｍｅｄｉｕｍ  Ａｃｃｅｓｓ  Ｃｏｎｔｒｏｌ）であることができるが、媒体アクセス層メッセージであることが好ましい。
【０１８６】
又、基地局ＢＳ−Ａは、シグナルを送信することによって、現在のスーパーフレーム、フレーム又はサブフレームには基地局のＣＳＧ  ＩＤ情報が乗せられているかどうかを指示できる。好ましくは、このシグナルは、スーパーフレーム・ヘッダにおいて送信されることができるが、制御メッセージにおいて送信されてもよい。この制御メッセージは、ユーザー専有制御メッセージ、非ユーザー専有制御メッセージ又は媒体アクセス層メッセージ（ＭＡＣ  Ｍｅｓｓａｇｅ：Ｍｅｄｉｕｍ  Ａｃｃｅｓｓ  Ｃｏｎｔｒｏｌ）などの制御メッセージであることができる。
【０１８７】
実施例１６
ＩＥＥＥ  ８０２．１６規格を例として、セカンダリ同期シーケンス・パーティションは、若干のサブパーティションに分けられ、その全部又は一部のサブパーティション（Ｐｒｉｍａｒｙ  Ｐｒｅａｍｂｌｅ  Ｓｅｑｕｅｎｃｅ  Ｓｕｂ−Ｐａｒｔｉｔｉｏｎ）は、特定の基地局タイプに対応する。仮に基地局ＢＳ−Ａが企業限定加入者グループフェムト基地局であるとしたら、基地局ＢＳ−Ａは、セカンダリ同期チャネルにおいてこのサブパーティションにおけるセカンダリ同期シーケンスを送信することで、その基地局タイプを端末へ通知する。ここで、基地局タイプとセカンダリ同期シーケンスのマッピング関係は、規格によりデフォルト配置されてよく、且つ／又は、基地局（又はシステムのほかのエレメント、例としては、アクセス・サービス・ネットワーク・エレメント）からシグナルによって端末へ通知されてもよい。
【０１８８】
端末は、基地局ＢＳ−Ａの送信したセカンダリ同期シーケンスを受信した後、前記マッピング関係によって、このセカンダリ同期シーケンスが前記サブパーティションに属すると判断した場合、基地局ＢＳ−Ａの基地局タイプが分かり、且つこの基地局がＣＳＧ  ＩＤを有することが分かる。
【０１８９】
仮に次のプロセスにおいて基地局ＢＳ−ＡのＢＳ−ＩＤが先に取得され、基地局のＣＳＧ  ＩＤが後で取得されるとしたら、端末は、先にＢＳ  ＩＤを自分のローカルのアクセス・リストに比べることによって、自分からのアクセスが基地局ＢＳ−Ａに許可されるかどうかを判断し、許可されないと、更に、ＣＳＧ  ＩＤを自分のローカルのアクセス・リストに比べることによって、自分からのアクセスが基地局ＢＳ−Ａに許可されるかどうかを判断し、許可されないと、この基地局を自分のアクセス基地局（サービス基地局）としない。
【０１９０】
仮に次のプロセスにおいて、基地局ＢＳ−ＡのＣＳＧ  ＩＤが先に取得され、基地局のＢＳ  ＩＤが後で取得されるとしたら、端末は、先にＣＳＧ  ＩＤを自分のローカルのアクセス・リストに比べることによって、自分からのアクセスが基地局ＢＳ−Ａに許可されるかどうかを判断し、許可されないと、更に、ＢＳ  ＩＤを自分のローカルのアクセス・リストに比べることによって、自分からのアクセスが基地局ＢＳ−Ａに許可されるかどうかを判断し、許可されないと、この基地局を自分のアクセス基地局（サービス基地局）としない。
【０１９１】
仮に次のプロセスにおいて、基地局ＢＳ−ＡのＣＳＧ  ＩＤとＢＳ  ＩＤが同時に取得されるとしたら、端末は、先にＣＳＧ  ＩＤを自分のローカルのアクセス・リストに比べることによって、自分からのアクセスが基地局ＢＳ−Ａに許可されるかどうかを判断してもよい。許可されないと、更に、ＢＳ  ＩＤを自分のローカルのアクセス・リストに比べることによって、自分からのアクセスが基地局ＢＳ−Ａに許可されるかどうかを判断し、許可されないと、この基地局を自分のアクセス基地局（サービス基地局）としない。或いは、先にＢＳ  ＩＤを自分のローカルのアクセス・リストに比べることによって、自分からのアクセスが基地局ＢＳ−Ａに許可されるかどうかを判断してもよく、許可されないと、更に、ＣＳＧ  ＩＤを自分のローカルのアクセス・リストに比べることによって、自分からのアクセスが基地局ＢＳ−Ａに許可されるかどうかを判断し、許可されないと、この基地局を自分のアクセス基地局（サービス基地局）としなく、或いは、同時にＢＳ  ＩＤとＣＳＧ  ＩＤを自分のローカルのアクセス・リストに比べることによって判断してもよく、両者のいずれかが端末のローカルのアクセス・リストの内容に対応する場合、端末からのアクセスが基地局ＢＳ−Ａに許可され、対応しない場合、端末からのアクセスが許可されない。
【０１９２】
基地局ＢＳ−Ａは、マクロ基地局、マイクロ基地局、ピコ基地局又はフェムト基地局であることができるが、ＣＳＧ型（ＣＳＧ−ＣｌｏｓｅｄとＣＳＧ−Ｏｐｅｎとを含む）フェムト基地局であることが好ましく、企業限定加入者グループフェムト基地局又は家庭限定加入者グループであることがより好ましい。
【０１９３】
基地局ＢＳ−Ａは、そのＣＳＧ  ＩＤをスーパーフレーム・ヘッダに含ませて送信してもよいし、制御メッセージによって送信してもよい。この制御メッセージは、ユーザー専有制御メッセージ、非ユーザー専有制御メッセージ又は媒体アクセス層メッセージ（ＭＡＣ  Ｍｅｓｓａｇｅ：Ｍｅｄｉｕｍ  Ａｃｃｅｓｓ  Ｃｏｎｔｒｏｌ）であることができるが、媒体アクセス層メッセージであることが好ましい。
【０１９４】
又、基地局ＢＳ−Ａは、シグナルを送信することによって、現在のスーパーフレーム、フレーム又はサブフレームには基地局のＣＳＧ  ＩＤ情報が乗せられているかどうかを指示できる。好ましくは、このシグナルは、スーパーフレーム・ヘッダにおいて送信されることができるが、制御メッセージにおいて送信されてもよい。この制御メッセージは、ユーザー専有制御メッセージ、非ユーザー専有制御メッセージ又は媒体アクセス層メッセージ（ＭＡＣ  Ｍｅｓｓａｇｅ：Ｍｅｄｉｕｍ  Ａｃｃｅｓｓ  Ｃｏｎｔｒｏｌ）などの制御メッセージであることができる。
【０１９５】
実施例１７
ＩＥＥＥ  ８０２．１６規格を例として、プライマリ同期シーケンスとセカンダリ同期シーケンスから構成されるパーティションは、若干のサブパーティションに分けられ、その全部又は一部のサブパーティション（Ｓｅｃｏｎｄａｒｙ  Ｐｒｅａｍｂｌｅ  Ｓｅｑｕｅｎｃｅ  Ｓｕｂ−Ｐａｒｔｉｔｉｏｎ）は、特定の基地局タイプに対応する。仮に基地局ＢＳ−Ａが企業限定加入者グループフェムト基地局であるとしたら、基地局ＢＳ−Ａは、プライマリ同期チャネルにおいてこのサブパーティションにおけるプライマリ同期シーケンスを送信し、セカンダリ同期チャネルにおいてこのサブパーティションにおけるセカンダリ同期シーケンスを送信することで、その基地局タイプを端末へ通知する。ここで、基地局タイプと、プライマリ同期シーケンス及びセカンダリ同期シーケンスのマッピング関係は、規格によりデフォルト配置され、且つ／又は、基地局からシグナルによって端末へ通知されることができる。
【０１９６】
端末は、基地局ＢＳ−Ａの送信したプライマリ同期シーケンス及びセカンダリ同期シーケンスを受信した後、前記マッピング関係によって、受信したプライマリ同期シーケンス及びセカンダリ同期シーケンスが前記サブパーティションに属すると判断した場合、基地局ＢＳ−Ａの基地局タイプが分かり、且つこの基地局がＣＳＧ  ＩＤを有することが分かる。
【０１９７】
仮に次のプロセスにおいて基地局ＢＳ−ＡのＢＳ−ＩＤが先に取得され、基地局のＣＳＧ  ＩＤが後で取得されるとしたら、端末は、先にＢＳ  ＩＤを自分のローカルのアクセス・リストに比べることによって、自分からのアクセスが基地局ＢＳ−Ａに許可されるかどうかを判断し、許可されないと、更に、ＣＳＧ  ＩＤを自分のローカルのアクセス・リストに比べることによって、自分からのアクセスが基地局ＢＳ−Ａに許可されるかどうかを判断し、許可されないと、この基地局を自分のアクセス基地局（サービス基地局）としない。
【０１９８】
仮に次のプロセスにおいて、基地局ＢＳ−ＡのＣＳＧ  ＩＤが先に取得され、基地局のＢＳ  ＩＤが後で取得されるとしたら、端末は、先にＣＳＧ  ＩＤを自分のローカルのアクセス・リストに比べることによって、自分からのアクセスが基地局ＢＳ−Ａに許可されるかどうかを判断し、許可されないと、更に、ＢＳ  ＩＤを自分のローカルのアクセス・リストに比べることによって、自分からのアクセスが基地局ＢＳ−Ａに許可されるかどうかを判断し、許可されないと、この基地局を自分のアクセス基地局（サービス基地局）としない。
【０１９９】
仮に次のプロセスにおいて、基地局ＢＳ−ＡのＣＳＧ  ＩＤとＢＳ  ＩＤが同時に取得されるとしたら、端末は、先にＣＳＧ  ＩＤを自分のローカルのアクセス・リストに比べることによって、自分からのアクセスが基地局ＢＳ−Ａに許可されるかどうかを判断してもよい。許可されないと、更に、ＢＳ  ＩＤを自分のローカルのアクセス・リストに比べることによって、自分からのアクセスが基地局ＢＳ−Ａに許可されるかどうかを判断し、許可されないと、この基地局を自分のアクセス基地局（サービス基地局）としない。或いは、先にＢＳ  ＩＤを自分のローカルのアクセス・リストに比べることによって、自分からのアクセスが基地局ＢＳ−Ａに許可されるかどうかを判断してもよく、許可されないと、更に、ＣＳＧ  ＩＤを自分のローカルのアクセス・リストに比べることによって、自分からのアクセスが基地局ＢＳ−Ａに許可されるかどうかを判断し、許可されないと、この基地局を自分のアクセス基地局（サービス基地局）としない。或いは、同時にＢＳ  ＩＤとＣＳＧ  ＩＤを自分のローカルのアクセス・リストに比べることによって判断してもよく、両者のいずれかが端末のローカルのアクセス・リストの内容に対応する場合、端末からのアクセスが基地局ＢＳ−Ａに許可され、対応しない場合、端末からのアクセスが許可されない。
【０２００】
基地局ＢＳ−Ａは、マクロ基地局、マイクロ基地局、ピコ基地局又はフェムト基地局であることができるが、ＣＳＧ型（ＣＳＧ−ＣｌｏｓｅｄとＣＳＧ−Ｏｐｅｎとを含む）フェムト基地局であることが好ましく、企業限定加入者グループフェムト基地局又は家庭限定加入者グループであることがより好ましい。
【０２０１】
基地局ＢＳ−Ａは、そのＣＳＧ  ＩＤをスーパーフレーム・ヘッダに含ませて送信してもよいし、制御メッセージによって送信してもよい。この制御メッセージは、ユーザー専有制御メッセージ、非ユーザー専有制御メッセージ又は媒体アクセス層メッセージ（ＭＡＣ  Ｍｅｓｓａｇｅ：Ｍｅｄｉｕｍ  Ａｃｃｅｓｓ  Ｃｏｎｔｒｏｌ）であることができるが、媒体アクセス層メッセージであることが好ましい。
【０２０２】
又、基地局ＢＳ−Ａは、シグナルを送信することによって、現在のスーパーフレーム、フレーム又はサブフレームには基地局のＣＳＧ  ＩＤ情報が乗せられているかどうかを指示できる。好ましくは、このシグナルは、スーパーフレーム・ヘッダにおいて送信されることができるが、制御メッセージにおいて送信されてもよい。この制御メッセージは、ユーザー専有制御メッセージ、非ユーザー専有制御メッセージ又は媒体アクセス層メッセージ（ＭＡＣ  Ｍｅｓｓａｇｅ：Ｍｅｄｉｕｍ  Ａｃｃｅｓｓ  Ｃｏｎｔｒｏｌ）などの制御メッセージであることができる。
【０２０３】
実施例１８
ＩＥＥＥ  ８０２．１６規格を例として、搬送周波数パーティションは、若干のサブパーティションに分けられ、その全部又は一部の搬送周波数サブパーティションは、特定の基地局タイプに対応する。仮に基地局ＢＳ−Ａが企業限定加入者グループフェムト基地局であるとしたら、このサブパーティションにおける搬送周波数においてデータ及び／又はシグナルを送信する。ここで、基地局タイプと搬送周波数のマッピング関係は、規格によりデフォルト配置され、且つ／又は、基地局からシグナルによって端末へ通知されることができる。
【０２０４】
端末は、基地局と、情報の遣り取りを行う場合、基地局ＢＳ−Ａの現在使用している搬送周波数が前記サブパーティションに含まれることを知って、そして、前記マッピング関係によって、基地局ＢＳ−Ａの基地局タイプが分かり、且つこの基地局がＣＳＧ  ＩＤを有することが分かる。
【０２０５】
仮に次のプロセスにおいて基地局ＢＳ−ＡのＢＳ−ＩＤが先に取得され、基地局のＣＳＧ  ＩＤが後で取得されるとしたら、端末は、先にＢＳ  ＩＤを自分のローカルのアクセス・リストに比べることによって、自分からのアクセスが基地局ＢＳ−Ａに許可されるかどうかを判断し、許可されないと、更に、ＣＳＧ  ＩＤを自分のローカルのアクセス・リストに比べることによって、自分からのアクセスが基地局ＢＳ−Ａに許可されるかどうかを判断し、許可されないと、この基地局を自分のアクセス基地局（サービス基地局）としない。
【０２０６】
仮に次のプロセスにおいて、基地局ＢＳ−ＡのＣＳＧ  ＩＤが先に取得され、基地局のＢＳ  ＩＤが後で取得されるとしたら、端末は、先にＣＳＧ  ＩＤを自分のローカルのアクセス・リストに比べることによって、自分からのアクセスが基地局ＢＳ−Ａに許可されるかどうかを判断し、許可されないと、更に、ＢＳ  ＩＤを自分のローカルのアクセス・リストに比べることによって、自分からのアクセスが基地局ＢＳ−Ａに許可されるかどうかを判断し、許可されないと、この基地局を自分のアクセス基地局（サービス基地局）としない。
【０２０７】
仮に次のプロセスにおいて、基地局ＢＳ−ＡのＣＳＧ  ＩＤとＢＳ  ＩＤが同時に取得されるとしたら、端末は、先にＣＳＧ  ＩＤを自分のローカルのアクセス・リストに比べることによって、自分からのアクセスが基地局ＢＳ−Ａに許可されるかどうかを判断してもよい。許可されないと、更に、ＢＳ  ＩＤを自分のローカルのアクセス・リストに比べることによって、自分からのアクセスが基地局ＢＳ−Ａに許可されるかどうかを判断し、許可されないと、この基地局を自分のアクセス基地局（サービス基地局）としない。或いは、先にＢＳ  ＩＤを自分のローカルのアクセス・リストに比べることによって、自分からのアクセスが基地局ＢＳ−Ａに許可されるかどうかを判断してもよく、許可されないと、更に、ＣＳＧ  ＩＤを自分のローカルのアクセス・リストに比べることによって、自分からのアクセスが基地局ＢＳ−Ａに許可されるかどうかを判断し、許可されないと、この基地局を自分のアクセス基地局（サービス基地局）としない。或いは、同時にＢＳ  ＩＤとＣＳＧ  ＩＤを自分のローカルのアクセス・リストに比べることによって判断してもよく、両者のいずれかが端末のローカルのアクセス・リストの内容に対応する場合、端末からのアクセスが基地局ＢＳ−Ａに許可され、対応しない場合、端末からのアクセスが許可されない。
【０２０８】
基地局ＢＳ−Ａは、マクロ基地局、マイクロ基地局、ピコ基地局又はフェムト基地局であることができるが、ＣＳＧ型（ＣＳＧ−ＣｌｏｓｅｄとＣＳＧ−Ｏｐｅｎとを含む）フェムト基地局であることが好ましく、企業限定加入者グループフェムト基地局又は家庭限定加入者グループであることがより好ましい。
【０２０９】
基地局ＢＳ−Ａは、そのＣＳＧ  ＩＤをスーパーフレーム・ヘッダに含ませて送信してもよいし、制御メッセージによって送信してもよい。この制御メッセージは、ユーザー専有制御メッセージ、非ユーザー専有制御メッセージ又は媒体アクセス層メッセージ（ＭＡＣ  Ｍｅｓｓａｇｅ：Ｍｅｄｉｕｍ  Ａｃｃｅｓｓ  Ｃｏｎｔｒｏｌ）であることができるが、媒体アクセス層メッセージであることが好ましい。
【０２１０】
又、基地局ＢＳ−Ａは、シグナルを送信することによって、現在のスーパーフレーム、フレーム又はサブフレームには基地局のＣＳＧ  ＩＤ情報が乗せられているかどうかを指示できる。好ましくは、このシグナルは、スーパーフレーム・ヘッダにおいて送信されることができるが、制御メッセージにおいて送信されてもよい。この制御メッセージは、ユーザー専有制御メッセージ、非ユーザー専有制御メッセージ又は媒体アクセス層メッセージ（ＭＡＣ  Ｍｅｓｓａｇｅ：Ｍｅｄｉｕｍ  Ａｃｃｅｓｓ  Ｃｏｎｔｒｏｌ）などの制御メッセージであることができる。
【０２１１】
実施例１９
ＩＥＥＥ  ８０２．１６規格を例として、セル識別子（Ｃｅｌｌ  ＩＤ）は、若干のサブパーティションに分けられ、その全部又は一部のサブパーティションは、特定の基地局タイプに対応する。仮に基地局ＢＳ−Ａが企業限定加入者グループフェムト基地局であるとしたら、基地局ＢＳ−Ａのセル識別子は、このサブパーティションに含まれる。ここで、基地局タイプとセル識別子のマッピング関係は、規格によりデフォルト配置され、且つ／又は、基地局（この基地局がＢＳ−Ａである可能性もあるし、他の基地局又はエレメントである可能性もある）からシグナル（例えば、セカンダリ・スーパーフレーム・ヘッダＳ−ＳＦＨ  ＩＥ  ＳＰ３及び／又はＡＡＩ＿ＳＣＤにおいてメッセージをブロード・キャストする）によって端末へ通知されることができる。
【０２１２】
端末は、基地局ＢＳ−Ａのセル識別子を取得し、前記マッピング関係によって、基地局ＢＳ−Ａの基地局タイプが分かり、そして、この基地局がＣＳＧ  ＩＤを有することがわかる。
【０２１３】
仮に次のプロセスにおいて基地局ＢＳ−ＡのＢＳ−ＩＤが先に取得され、基地局のＣＳＧ  ＩＤが後で取得されるとしたら、端末は、先にＢＳ  ＩＤを自分のローカルのアクセス・リストに比べることによって、自分からのアクセスが基地局ＢＳ−Ａに許可されるかどうかを判断し、許可されないと、更に、ＣＳＧ  ＩＤを自分のローカルのアクセス・リストに比べることによって、自分からのアクセスが基地局ＢＳ−Ａに許可されるかどうかを判断し、許可されないと、この基地局を自分のアクセス基地局（サービス基地局）としない。
【０２１４】
仮に次のプロセスにおいて、基地局ＢＳ−ＡのＣＳＧ  ＩＤが先に取得され、基地局のＢＳ  ＩＤが後で取得されるとしたら、端末は、先にＣＳＧ  ＩＤを自分のローカルのアクセス・リストに比べることによって、自分からのアクセスが基地局ＢＳ−Ａに許可されるかどうかを判断し、許可されないと、更に、ＢＳ  ＩＤを自分のローカルのアクセス・リストに比べることによって、自分からのアクセスが基地局ＢＳ−Ａに許可されるかどうかを判断し、許可されないと、この基地局を自分のアクセス基地局（サービス基地局）としない。
【０２１５】
仮に次のプロセスにおいて、基地局ＢＳ−ＡのＣＳＧ  ＩＤとＢＳ  ＩＤが同時に取得されるとしたら、端末は、先にＣＳＧ  ＩＤを自分のローカルのアクセス・リストに比べることによって、自分からのアクセスが基地局ＢＳ−Ａに許可されるかどうかを判断してもよい。許可されないと、更に、ＢＳ  ＩＤを自分のローカルのアクセス・リストに比べることによって、自分からのアクセスが基地局ＢＳ−Ａに許可されるかどうかを判断し、許可されないと、この基地局を自分のアクセス基地局（サービス基地局）としない。或いは、先にＢＳ  ＩＤを自分のローカルのアクセス・リストに比べることによって、自分からのアクセスが基地局ＢＳ−Ａに許可されるかどうかを判断してもよく、許可されないと、更に、ＣＳＧ  ＩＤを自分のローカルのアクセス・リストに比べることによって、自分からのアクセスが基地局ＢＳ−Ａに許可されるかどうかを判断し、許可されないと、この基地局を自分のアクセス基地局（サービス基地局）としない。或いは、同時にＢＳ  ＩＤとＣＳＧ  ＩＤを自分のローカルのアクセス・リストに比べることによって判断してもよく、両者のいずれかが端末のローカルのアクセス・リストの内容に対応する場合、端末からのアクセスが基地局ＢＳ−Ａに許可され、対応しない場合、端末からのアクセスが許可されない。
【０２１６】
基地局ＢＳ−Ａは、マクロ基地局、マイクロ基地局、ピコ基地局又はフェムト基地局であることができるが、ＣＳＧ型（ＣＳＧ−ＣｌｏｓｅｄとＣＳＧ−Ｏｐｅｎとを含む）フェムト基地局であることが好ましく、企業限定加入者グループフェムト基地局又は家庭限定加入者グループであることがより好ましい。
【０２１７】
基地局ＢＳ−Ａは、そのＣＳＧ  ＩＤをスーパーフレーム・ヘッダに含ませて送信してもよいし、制御メッセージによって送信してもよい。この制御メッセージは、ユーザー専有制御メッセージ、非ユーザー専有制御メッセージ又は媒体アクセス層メッセージ（ＭＡＣ  Ｍｅｓｓａｇｅ：Ｍｅｄｉｕｍ  Ａｃｃｅｓｓ  Ｃｏｎｔｒｏｌ）であることができるが、媒体アクセス層メッセージであることが好ましい。
【０２１８】
又、基地局ＢＳ−Ａは、シグナルを送信することによって、現在のスーパーフレーム、フレーム又はサブフレームには基地局のＣＳＧ  ＩＤ情報が乗せられているかどうかを指示できる。好ましくは、このシグナルは、スーパーフレーム・ヘッダにおいて送信されることができるが、制御メッセージにおいて送信されてもよい。この制御メッセージは、ユーザー専有制御メッセージ、非ユーザー専有制御メッセージ又は媒体アクセス層メッセージ（ＭＡＣ  Ｍｅｓｓａｇｅ：Ｍｅｄｉｕｍ  Ａｃｃｅｓｓ  Ｃｏｎｔｒｏｌ）などの制御メッセージであることができる。
【０２１９】
実施例２０
ＩＥＥＥ  ８０２．１６規格を例として、基地局ＢＳ−Ａは、制御シグナルによってその基地局タイプ情報を送信し、ここで、基地局タイプ情報は、制御シグナルにおける一つのフィールドであることができ、前記制御シグナルは、スーパーフレーム・ヘッダ（例えば、セカンダリ・スーパーフレーム・ヘッダ）又は媒体アクセス制御メッセージであることが好ましい。
【０２２０】
端末は、基地局ＢＳ−Ａの送信した前記制御シグナルを受信した後、指示情報によって基地局ＢＳ−Ａの基地局タイプを取得する。
【０２２１】
仮に基地局ＢＳ−ＡがＣＳＧ  ＩＤを有し、且つ端末が次のプロセスにおいて基地局ＢＳ−ＡのＢＳ−ＩＤを先に取得し、基地局のＣＳＧ  ＩＤを後で取得した場合、端末は、先にＢＳ  ＩＤを自分のローカルのアクセス・リストに比べることによって、自分からのアクセスが基地局ＢＳ−Ａに許可されるかどうかを判断し、許可されないと、更に、ＣＳＧ  ＩＤを自分のローカルのアクセス・リストに比べることによって、自分からのアクセスが基地局ＢＳ−Ａに許可されるかどうかを判断し、許可されないと、この基地局を自分のアクセス基地局（サービス基地局）としない。
【０２２２】
仮に基地局ＢＳ−ＡがＣＳＧ  ＩＤを有し、且つ端末が次のプロセスにおいて、基地局ＢＳ−ＡのＣＳＧ  ＩＤを先に取得し、基地局のＢＳ  ＩＤを後で取得した場合、端末は、先にＣＳＧ  ＩＤを自分のローカルのアクセス・リストに比べることによって、自分からのアクセスが基地局ＢＳ−Ａに許可されるかどうかを判断し、許可されないと、更に、ＢＳ  ＩＤを自分のローカルのアクセス・リストに比べることによって、自分からのアクセスが基地局ＢＳ−Ａに許可されるかどうかを判断し、許可されないと、この基地局を自分のアクセス基地局（サービス基地局）としない。
【０２２３】
仮に基地局ＢＳ−ＡがＣＳＧ  ＩＤを有し、且つ端末が次のプロセスにおいて、基地局ＢＳ−ＡのＣＳＧ  ＩＤとＢＳ  ＩＤを同時に取得した場合、端末は、先にＣＳＧ  ＩＤを自分のローカルのアクセス・リストに比べることによって、自分からのアクセスが基地局ＢＳ−Ａに許可されるかどうかを判断してもよい。許可されないと、更に、ＢＳ  ＩＤを自分のローカルのアクセス・リストに比べることによって、自分からのアクセスが基地局ＢＳ−Ａに許可されるかどうかを判断し、許可されないと、この基地局を自分のアクセス基地局（サービス基地局）としない。或いは、先にＢＳ  ＩＤを自分のローカルのアクセス・リストに比べることによって、自分からのアクセスが基地局ＢＳ−Ａに許可されるかどうかを判断してもよく、許可されないと、更に、ＣＳＧ  ＩＤを自分のローカルのアクセス・リストに比べることによって、自分からのアクセスが基地局ＢＳ−Ａに許可されるかどうかを判断し、許可されないと、この基地局を自分のアクセス基地局（サービス基地局）としない。或いは、同時にＢＳ  ＩＤとＣＳＧ  ＩＤを自分のローカルのアクセス・リストに比べることによって判断してもよく、両者のいずれかが端末のローカルのアクセス・リストの内容に対応する場合、端末からのアクセスが基地局ＢＳ−Ａに許可され、対応しない場合、端末からのアクセスが許可されない。
【０２２４】
基地局ＢＳ−Ａは、マクロ基地局、マイクロ基地局、ピコ基地局又はフェムト基地局であることができるが、ＣＳＧ型（ＣＳＧ−ＣｌｏｓｅｄとＣＳＧ−Ｏｐｅｎとを含む）フェムト基地局であることが好ましく、企業限定加入者グループフェムト基地局又は家庭限定加入者グループであることがより好ましい。
【０２２５】
基地局ＢＳ−Ａは、そのＣＳＧ  ＩＤをスーパーフレーム・ヘッダに含ませて送信してもよいし、制御メッセージによって送信してもよい。この制御メッセージは、ユーザー専有制御メッセージ、非ユーザー専有制御メッセージ又は媒体アクセス層メッセージ（ＭＡＣ  Ｍｅｓｓａｇｅ：Ｍｅｄｉｕｍ  Ａｃｃｅｓｓ  Ｃｏｎｔｒｏｌ）であることができるが、媒体アクセス層メッセージであることが好ましい。
【０２２６】
又、基地局ＢＳ−Ａは、シグナルを送信することによって、現在のスーパーフレーム、フレーム又はサブフレームには基地局のＣＳＧ  ＩＤ情報が乗せられているかどうかを指示できる。好ましくは、このシグナルは、スーパーフレーム・ヘッダにおいて送信されることができるが、制御メッセージにおいて送信されてもよい。この制御メッセージは、ユーザー専有制御メッセージ、非ユーザー専有制御メッセージ又は媒体アクセス層メッセージ（ＭＡＣ  Ｍｅｓｓａｇｅ：Ｍｅｄｉｕｍ  Ａｃｃｅｓｓ  Ｃｏｎｔｒｏｌ）などの制御メッセージであることができる。
【０２２７】
前記実施例１５〜実施例２０において、本発明の実施例による基地局タイプの指示方法を説明した。前記実施例１５〜実施例２０において、仮に基地局ＢＳ−Ａの基地局タイプが家庭用限定加入者グループフェムト基地局であるとしたら、この基地局がＣＳＧ  ＩＤを有しないことが分かるので、端末は、次に、基地局ＢＳ−ＡのＢＳ  ＩＤ及び／セル識別子を自分のローカルにおいてメンテナンスされるアクセス・リストに比べ、基地局ＢＳ−Ａが自分からのアクセスを許可する基地局であるかどうかを判断する。
【０２２８】
前記実施例１５〜実施例２０において、仮に基地局ＢＳ−Ａの基地局タイプが企業用限定加入者グループフェムト基地局であるとしたら、この基地局がＣＳＧ  ＩＤを有することが分かるので、端末は、次に、基地局ＢＳ−ＡのＢＳ  ＩＤをローカルにおいてメンテナンスされるアクセス・リストに比べ、基地局ＢＳ−Ａが自分からのアクセスを許可する基地局であるかどうかを判断するが、ここでは、詳しい説明を略す。
【０２２９】
前記実施例１５〜実施例２０において、基地局タイプを有するかどうかを指示する情報と、システム・パラメータ情報（前記同期シーケンスと、搬送周波数と、セル識別子を含む）のマッピング関係を端末へ通知する主体は、有線接続又は無線接続の方式によって関連マッピング関係を端末へ通知する、アクセス・サービス・ネットワーク・エレメント、接続サービス・ネットワーク・エレメント、特定のシステム装置（例えば、コンピュータ、サーバー、カード読取／書込装置）又は他のエレメントであってもよい。
【０２３０】
前記実施例１５〜実施例２０において、端末がＣＳＧ  ＩＤ又はＢＳ  ＩＤによって前記基地局が自分からのアクセスを許可するかどうかを判断することは、端末が基地局にアクセスできるかどうかを判断する条件の一つのみであり、この基地局が他のシグナル（例えば、セカンダリ・スーパーフレーム・ヘッダにおけるＣｅｌｌ  Ｂａｒフィールド）によってどの端末からのアクセス又は再入も現在許可されないことを通知すると、端末は、この基地局にアクセスしてはいけない。同様に、この基地局のＣｅｌｌ  ＩＤも端末がこの基地局にアクセスできるかどうかを判断する条件の一つである。
【０２３１】
上記の説明から分かるように、本発明の実施例において、基地局が、現在使用しているシステム・パラメータあるいは、端末に指示情報を送信することによって、この基地局にはＣＳＧ  ＩＤ及び具体的な基地局タイプがある（又は、有することと称する）かどうかを端末へ通知し、従来技術における、端末が基地局がＣＳＧ  ＩＤがあるかどうか及び具体的な基地局タイプを取得できないことによるアクセス時間遅延の問題が解決され、端末でのンテナンスが必要なアクセス基地局情報の取り扱いやすさが保証され、システム全体の端末に対するサービス品質を向上させた。
【０２３２】
勿論、当業者であれば、上記本発明の各モジュール又は各ステップが、汎用コンピュータにより実現可能であり、これらが、単一のコンピュータに集中されてもよいし、複数のコンピュータから構成されるネットワークに分布してもよく、任意選択できるように、これらがコンピュータで実行可能なプログラム・コードにより実現可能であるため、これらを記憶装置に記憶してコンピュータにより実行でき、且つ、ある状況において、ここの順序と異なる順序で示されたり説明されたりしたステップを実行したり、これらを別々に各集積回路モジュールにしたり、これらの複数のモジュール又はステップを単一の集積回路モジュールにしたりすることで実現可能である。このように、本発明は、ハード・ウェアおよびソフト・ウェアのいかなる特定のコンビネーションにも限定されない。
【０２３３】
以上は本発明の好ましい実施例であり、本発明を限定するものではない。当業者であれば、本発明に、各種の変更と変化をもたらすことが可能である。本発明の精神と原則から逸脱しない範囲内で行われる如何なる変更や同等置換または改良などは、すべて本発明の保護範囲に含まれるものとする。
【図１】
2013516861.tif 000003
【図２】
2013516861.tif 000004
【図３】
2013516861.tif 000005
【図４】
2013516861.tif 000006
【図５】
2013516861.tif 000007
【図６】
2013516861.tif 000008
【図７】
2013516861.tif 000009
【図８】
2013516861.tif 000010
【国際調査報告】
2013516861.tif 000011
2013516861.tif 000012
2013516861.tif 000013
2013516861.tif 000014
2013516861.tif 000015
2013516861.tif 000016